(57)【特許請求の範囲】
【請求項１】
離間した第１端部と第２端部との間に長さを有する本体部を備えた長尺管状ライティングアセンブリであって、
前記本体部上又は前記本体部内に少なくとも１つのＬＥＤエミッタパネルを支持する長尺のヒートシンクを備える照明源と、
前記管状ライティングアセンブリの支持部上に前記本体部を動作可能な状態に各々維持する第１コネクタ及び第２コネクタと、を備え、
前記第１コネクタは、第１コネクタ部分及び第２コネクタ部分を備え、
前記第１コネクタ部分は、前記本体部の前記第１端部にある第１端部キャップアセンブリの一部であり、
前記第２コネクタ部分は、前記管状ライティングアセンブリの支持部上に設けられ、
前記第２コネクタは、第３コネクタ部分及び第４コネクタ部分を備え、
前記第３コネクタ部分は、前記本体部の前記第２端部に設けられ、
前記第４コネクタ部分は、前記支持部上に設けられ、
前記第１コネクタ部分及び前記第２コネクタ部分は、各々、第１面及び第２面を有し、
前記第１コネクタ部分及び前記第２コネクタ部分は、前記第１コネクタ部分が前記第２コネクタ部分に対して、前記本体部の長さに対して横断方向の略直線状経路における前記第２コネクタ部分から完全に離間した位置から係合位置に移動する事象として、前記本体部の前記動作可能状態において前記第１コネクタ部分と前記第２コネクタ部分との離間を防ぐため、前記第１面及び前記第２面が対向関係に配置されるように構成され、
前記第１コネクタ部分は、縁部に囲まれた開口が貫通して形成された壁部を有し、前記第１面が前記壁部の内面であり、第２コネクタ部分は、前記第２面の規定された第１屈曲可能部分を有し、
前記第１屈曲可能部分が、ａ）前記第２コネクタ部分が前記開口内に向かわされる際に前記開口の縁部に係合され、かつ、前記第１コネクタ部分が前記係合位置に向かって移動させられる際に、前記第１コネクタ部分が前記完全に離間した位置にある状態で前記第１屈曲可能部分が留まる保持位置から組み付け位置へと次第にカム動作させられ、ｂ）前記第１コネクタ部分が前記係合位置にある状態で、前記組み付け位置から前記保持位置へ戻るように、前記第２コネクタ部分が構成される、長尺管状ライティングアセンブリ。
【請求項２】
前記第３コネクタ部分及び前記第４コネクタ部分は、各々、前記第１コネクタ部分及び前記第２コネクタ部分の前記第１面及び前記第２面と構造的に略同一な面を有し、前記第１コネクタ部分及び前記第２コネクタ部分の前記第１面及び前記第２面が前記本体部の前記第１端部で互いに相互作用するのと略同様に、前記本体部の前記第２端部で互いに相互作用する、請求項１に記載の長尺管状ライティングアセンブリ。
【請求項３】
前記第２コネクタ部分は、前記第２コネクタ部分の側壁にアクチュエータを有し、前記アクチュエータは前記第１屈曲可能部分に動作可能に結合され、前記第２コネクタ部分は、前記第１コネクタ部分が前記係合位置にある状態で、前記アクチュエータが、前記第２コネクタ部分の前記側壁に向かって内側に再配置可能であることにより、前記第１屈曲可能部分をその組み付け位置に向かって移動させ、前記第１コネクタ部分を前記第２コネクタ部分から離間させる、請求項１に記載の長尺管状ライティングアセンブリ。
【請求項４】
前記開口及び前記第２コネクタ部分は、前記第１コネクタ部分が前記完全に離間した位置と前記係合位置との間で変化するのに合わせて前記第２コネクタ部分が前記開口内に向かわされる際、前記第２コネクタ部分を前記開口と合致するよう配列すべく、前記縁部及び前記第２コネクタ部分上の面が協働する、請求項１に記載の長尺管状ライティングアセンブリ。
【請求項５】
前記第２コネクタ部分は、前記第１屈曲可能部分と同一に構成された第２屈曲可能部分を有し、前記第１屈曲可能部分が前記保持位置と前記組み付け位置との間で移動する際に前記縁部と協働するのと同様に、前記縁部と協働し、前記第１屈曲可能部分及び前記第２屈曲可能部分は、前記保持位置から前記組み付け位置に変化する際、互いに向かって移動可能である、請求項１に記載の長尺管状ライティングアセンブリ。
【請求項６】
前記第３コネクタ部分は、前記本体部の前記第２端部にある第２端部キャップアセンブリの一部であり、前記第１端部キャップアセンブリは、前記本体部の前記第１端部が内部に延びる第１レセプタクル開口を規定する第１カップ状要素を備え、前記第２端部キャップアセンブリは、前記本体部の前記第２端部が内部に延びる第２レセプタクル開口を規定する第２カップ状要素を備える、請求項１に記載の長尺管状ライティングアセンブリ。
【請求項７】
前記第１端部キャップアセンブリはさらに、少なくとも、第１コネクタ基板を備え、前記少なくとも１つのＬＥＤエミッタパネル及び前記第１コネクタ基板は、前記本体部の前記第１端部及び前記第１端部キャップアセンブリが前記本体部の前記長さに略平行な方向において接続関係となるよう互いに向かって移動する事象として、電気的に接続される、請求項１に記載の長尺管状ライティングアセンブリ。
【請求項８】
前記第２コネクタ部分は、電源に対して電気的に接続され、前記第１コネクタ部分が前記完全に離間した位置から前記係合位置に移動する事象として、電気的に接続される前記少なくとも第１コネクタ基板及び前記第２コネクタ部分上に電気コネクタ要素が存在する、請求項７に記載の長尺管状ライティングアセンブリ。
【請求項９】
前記第１コネクタ基板上の前記電気コネクタ要素は、各々、前記第１コネクタ部分が前記第２コネクタ部分に向かって、且つ前記係合位置に移動される時、前記本体部の前記長さに略平行な方向に延びる第１部分と、前記本体部の長さに対して横断方向に、且つ、前記第２コネクタ部分に向かって延びる第２部分と、を有する略Ｌ字型ピンを備える、請求項８に記載の長尺管状ライティングアセンブリ。
【請求項１０】
前記少なくとも１つのＬＥＤエミッタパネルは、複数のＤＣ電源方式ＬＥＤを備える、請求項１に記載の長尺管状ライティングアセンブリ。
【請求項１１】
前記少なくとも１つのＬＥＤエミッタパネルは、複数のＡＣ電源方式ＬＥＤを備える、請求項１に記載の長尺管状ライティングアセンブリ。
【請求項１２】
前記照明源は、交差面内に据え付けられた複数のＬＥＤエミッタパネルを支持する多面ヒートシンクを備える、請求項１に記載の長尺管状ライティングアセンブリ。
【請求項１３】
前記多面ヒートシンクの前記多面の内側に搭載された無停電バッテリ電源回路をさらに備える、請求項１２に記載の長尺管状ライティングアセンブリ。
【請求項１４】
前記少なくとも１つのＬＥＤエミッタパネルは、複数のＤＣ電源方式ＬＥＤを備え、前記多面ヒートシンクの前記多面の内側に搭載されたＡＣ−ＤＣドライバ回路をさらに備える、請求項１２に記載の長尺管状ライティングアセンブリ。
【請求項１５】
前記本体部は、略円形の断面を有する、請求項１に記載の長尺管状ライティングアセンブリ。
【請求項１６】
前記本体部は、略非円形の断面を有する、請求項１に記載の長尺管状ライティングアセンブリ。
【請求項１７】
離間した第１端部と第２端部との間に長さを有する本体部を備えた長尺管状ライティングアセンブリであって、
前記本体部上又は前記本体部内に少なくとも１つのＬＥＤエミッタパネルを支持する長尺のヒートシンクを備える照明源と、
前記本体部の前記第１端部にある第１端部キャップアセンブリの一部である第１端部コネクタと、を備え、
前記第１端部コネクタは、支持部上で前記本体部の前記第１端部を動作可能状態に維持するため、前記管状ライティングアセンブリのための前記支持部上に搭載された第２コネクタ部分と係合し、
前記第１端部コネクタ及び前記第２コネクタ部分は、各々、第１面及び第２面を有し、
前記第１端部コネクタ及び前記第２コネクタ部分は、前記第１端部コネクタが前記第２コネクタ部分に対して、前記本体部の長さに対して横断方向の略直線状経路における前記第２コネクタ部分から完全に離間した位置から係合位置に移動する事象として、前記本体部の前記動作可能状態において前記第１端部コネクタと前記第２コネクタ部分との離間を防ぐため、前記第１面及び前記第２面が対向関係に配置され、
前記第１端部コネクタは、縁部に囲まれた開口が貫通して形成された壁部を有し、前記第１面が前記壁部の内面であり、前記第２コネクタ部分は、前記第２面の規定された第１屈曲可能部分を有し、
前記第１屈曲可能部分が、ａ）前記第２コネクタ部分が前記開口内に向かわされる際に前記開口の縁部に係合され、かつ、前記第１端部コネクタが前記係合位置に向かって移動させられる際に、前記第１端部コネクタが前記完全に離間した位置にある状態で前記第１屈曲可能部分が留まる保持位置から組み付け位置へと次第にカム動作させられ、ｂ）前記第１端部コネクタが前記係合位置にある状態で、前記組み付け位置から前記保持位置へ戻るように、前記第２コネクタ部分が構成される、長尺管状ライティングアセンブリ。
【請求項１８】
前記本体部の前記第２端部に設けられた第３端部コネクタをさらに備え、前記第３端部コネクタは、前記支持部上で前記本体部の前記第２端部を動作可能状態に維持するため、前記支持部に搭載された第４コネクタ部分に係合し、前記第３端部コネクタ及び前記第４コネクタ部分は、前記第１端部コネクタ及び前記第２コネクタ部分の前記第１面及び前記第２面と各々構造的に略同一であり、前記第１端部コネクタ及び前記第２コネクタ部分の前記第１面及び前記第２面が前記本体部の前記第１端部で互いに相互作用するのと同様に、前記本体部の前記第２端部で互いに相互作用する面を有する、請求項１７に記載の長尺管状ライティングアセンブリ。
【請求項１９】
前記第１端部キャップアセンブリは、前記本体部の前記第１端部が内部に向かって延びる第１レセプタクルを規定する第１カップ状要素を備え、前記第３端部コネクタは、前記本体部の前記第２端部にある第２端部キャップアセンブリの一部であり、前記第２端部キャップアセンブリは、前記本体部の前記第２端部が内部に向かって延びる第２レセプタクルを規定する第２カップ状要素を備える、請求項１８に記載の長尺管状ライティングアセンブリ。
【請求項２０】
前記第１端部キャップアセンブリはさらに、第１コネクタ基板を備え、前記少なくとも１つのＬＥＤエミッタパネル及び前記第１コネクタ基板は、前記本体部の前記第１端部及び前記第１端部キャップアセンブリが前記本体部の前記長さに略平行な方向において接続関係となるよう互いに向かって移動する事象として、電気的に接続される、請求項１７に記載の長尺管状ライティングアセンブリ。
【請求項２１】
前記第１端部キャップアセンブリはさらに、第１コネクタ基板を備え、前記第２コネクタ部分は、電源に電気的に接続され、前記第１端部コネクタが前記完全に離間した位置から前記係合位置へと移動される事象として電気的に接続される前記第１コネクタ基板及び前記第２コネクタ部分上に電気コネクタ要素が存在する、請求項１７に記載の長尺管状ライティングアセンブリ。
【請求項２２】
前記第１コネクタ基板上の前記電気コネクタ要素は、各々、前記第１端部コネクタが前記第２コネクタ部分に向かって、且つ前記係合位置に移動される時、前記本体部の前記長さに略平行な方向に延びる第１部分と、前記本体部の長さに対して横断方向に、且つ、前記第２コネクタ部分に向かって延びる第２部分と、を有する略Ｌ字型ピンを備える、請求項２１に記載の長尺管状ライティングアセンブリ。
【請求項２３】
前記少なくとも１つのＬＥＤエミッタパネルは、複数のＤＣ電源方式ＬＥＤを備える、請求項１７に記載の長尺管状ライティングアセンブリ。
【請求項２４】
前記少なくとも１つのＬＥＤエミッタパネルは、複数のＡＣ電源方式ＬＥＤを備える、請求項１７に記載の長尺管状ライティングアセンブリ。
【請求項２５】
前記照明源は、交差面内に据え付けられた複数のＬＥＤエミッタパネルを支持する多面ヒートシンクを備える、請求項１７に記載の長尺管状ライティングアセンブリ。
【請求項２６】
前記複数のＬＥＤエミッタパネルは、複数のＤＣ電源方式ＬＥＤを備え、前記多面ヒートシンクの前記多面の内側に搭載されたＡＣ−ＤＣドライバ回路をさらに備える、請求項２５に記載の長尺管状ライティングアセンブリ。
【請求項２７】
前記多面ヒートシンクの前記多面の内側に搭載された無停電電源回路をさらに備える、請求項２５に記載の長尺管状ライティングアセンブリ。
【請求項２８】
前記本体部は、略円形の断面を有する、請求項１７に記載の長尺管状ライティングアセンブリ。
【請求項２９】
前記本体部は、略非円形の断面を有する、請求項１７に記載の長尺管状ライティングアセンブリ。
【請求項３０】
離間した第１端部と第２端部との間に長さを有する本体部と、前記本体部の上又は内部に少なくとも１つのＬＥＤエミッタパネルを支持する長尺のヒートシンクを備える照明源と、前記本体部の前記第１端部に設けられた第１端部コネクタと、を備えた長尺管状ライティングアセンブリの端部を動作可能状態で支持部上に維持する支持コネクタであって、
前記管状ライティングアセンブリ用の支持部上に設けられる搭載部と、前記第１端部コネクタに係合する第２部分と、を備え、
前記第２部分は、前記第１端部コネクタの第１面に係合する第２面を有し、
前記支持コネクタの前記第２部分は、前記第１端部コネクタが前記支持コネクタに対して、前記本体部の長さに対して横断方向の略直線状経路における前記支持コネクタから完全に離間した位置から係合位置に移動する事象として、前記本体部の前記動作可能状態において前記第１端部コネクタと前記支持コネクタとの離間を防ぐため、前記第１面及び前記第２面が対向関係に配置され、
前記第１端部コネクタは、縁部に囲まれた開口が貫通して形成された壁部を有し、前記第１面が前記壁部の内面であり、前記第２部分は、前記第２面の規定された第１屈曲可能部分を有し、
前記第１屈曲可能部分が、ａ）前記第２部分が前記開口内に向かわされる際に前記開口の縁部に係合され、かつ、前記第１端部コネクタが前記係合位置に向かって移動させられる際に、前記第１端部コネクタが前記完全に離間した位置にある状態で前記第１屈曲可能部分が留まる保持位置から組み付け位置へと次第にカム動作させられ、ｂ）前記第１端部コネクタが前記係合位置にある状態で、前記組み付け位置から前記保持位置へ戻るように、前記第２部分が構成される、支持コネクタ。
【請求項３１】
前記第１屈曲可能部分は、一体ヒンジを介して前記支持コネクタの他の一部に接合される、請求項３０に記載の支持コネクタ。
【請求項３２】
前記第１端部コネクタの前記壁部は、その反対側に設けられた第３面と、前記支持コネクタの前記第２部分上に設けられた第４面と、を有し、前記壁部は、前記第１端部コネクタが前記係合位置にある状態で前記第２面と前記第４面との間に抜け落ち不能に存在する、請求項３１に記載の支持コネクタ。
【請求項３３】
前記支持コネクタの前記第２部分の側壁にアクチュエータをさらに備え、前記アクチュエータは前記第１屈曲可能部分に動作可能に連結され、前記支持コネクタは、前記第１端部コネクタが前記係合位置にある状態で、前記アクチュエータが前記第２部分の前記側壁に向かって内側に再配置可能であることにより、前記第１屈曲可能部分をその組み付け位置に向かって移動させ、前記第１端部コネクタを前記支持コネクタから離間させる、請求項３０に記載の支持コネクタ。
【請求項３４】
前記第２部分は、前記第１端部コネクタが前記完全に離間した位置と前記係合位置との間で変化するのに合わせて前記第２部分が前記開口内に向かわされる際、前記第２部分を前記開口と合致するよう配列すべく、前記開口の前記縁部と協働する、請求項３０に記載の支持コネクタ。
【請求項３５】
前記第２部分は、前記第１屈曲可能部分と略同一であり、前記第１屈曲可能部分が対応保持位置と組み付け位置との間で移動する際に前記縁部と協働するのと同様に前記縁部と協働する第２屈曲可能部分を有し、前記第１屈曲可能部分及び前記第２屈曲可能部分は、前記保持位置から前記組み付け位置に変化する際、互いに向かって移動可能である、請求項３０に記載の支持コネクタ。
【請求項３６】
電源と電気的に接続される導電性コネクタ要素をさらに備える、請求項３０に記載の支持コネクタ。
【請求項３７】
前記支持コネクタの前記導電性コネクタ要素は、前記第１端部コネクタが前記完全に離間した位置から前記係合位置に移動する事象として、前記第１端部コネクタの導電性要素と電気的に接続される、請求項３６に記載の支持コネクタ。
【請求項３８】
前記支持コネクタの前記導電性コネクタ要素は、前記第１端部コネクタが前記支持コネクタに向かって前記係合位置に移動される時、前記本体部の前記長さに対して横断方向に、且つ、前記支持コネクタに向かって延びる前記第１端部コネクタの導電性ピンの第１部分を受容する、請求項３７に記載の支持コネクタ。
【請求項３９】
前記支持コネクタは、前記導電性コネクタ要素から独立して前記第１端部コネクタとともに保持されることにより、前記本体部を前記動作可能状態に維持する、請求項３７に記載の支持コネクタ。
【請求項４０】
前記長尺管状ライティングアセンブリの前記支持部は、反射体を備え、前記支持コネクタは、前記反射体とは別の要素であり、前記支持コネクタの前記搭載部は、前記反射体に圧接される、請求項３０に記載の支持コネクタ。
【発明の詳細な説明】
【技術分野】
【０００１】
関連出願の相互参照
[0001]  本出願は、２０１４年４月１８日出願の米国出願第１４／２５６，０６６号の継続出願であり、２０１２年４月５日出願の米国出願第１３／４４０，４２３号の一部継続出願であり、いずれも全体が参照としてここに組み込まれる。
【０００２】
[0002]  本発明はライティングに係り、特に、発光ダイオード（ＬＥＤ）照明及び管状ライティングアセンブリに係る。
【背景技術】
【０００３】
[0003]  トーチ、オイルランプ、ガスランプ、ランタン、白熱電球、ネオンサイン、蛍光電球、ハロゲンライト、及び発光ダイオード等、屋内及び／屋外照明用に種々の照明アセンブリ及び装置が数年に亘って開発されている。これらの従来の照明アセンブリ及び装置の成功度合は様々であった。
【０００４】
[0004]  白熱電球は、タングステンフィラメント等、薄いフィラメントに通電することによってフィラメントを非常に高温に加熱し、白熱して可視光を生成し、黄色又は白色に発光するものである。しかしながら白熱電球は非常に効率が悪く、そのエネルギー入力の９８％超が熱として放出及び生成されてしまう。標準の１００ワット電球は、約１７００ルーメンで発光し、１ワット当たり約１７ルーメンとなる。白熱ランプは、比較的安価であり、通常約１，０００時間の寿命を有する。
【０００５】
[0005]  蛍光ランプ（電球）は、紫外線（ＵＶ）光を生じる水銀蒸気に通電する。そして紫外線光は、ランプ内のリン光体コーティングに吸収され、白熱するか、又は蛍光を発する。蛍光ランプによって生じた熱は、白熱に比して非常に少ないが、依然としてＵＶ光生成とＵＶ光の可視光への変換の際にはエネルギーが喪失される。ランプが壊れると、水銀への露出が発生し得る。線形蛍光ランプは、多くの場合、白熱電球の５〜６倍のコストがかかるものの、約１０，０００〜２０，０００時間の寿命を有する。コンパクト型蛍光ランプについては、寿命が１，２００〜２０，０００時間の範囲である。蛍光灯が点滅してしまうこともあり、広帯域の周波数が欠如してしまうため蛍光灯の質が強い白色光となる傾向にある。ほとんどの蛍光灯が調光器に対応していない。
【０００６】
[0006]  発光ダイオード（ＬＥＤ）ライティングは特に有用である。発光ダイオード（ＬＥＤ）は、エネルギー消費が少ないこと、寿命が長いこと、ロバスト性が改善されること、サイズが小さいこと、切替が速いこと、耐久性及び信頼性に優れること等、白熱光源を超える利点が多くある。ＬＥＤは、白熱電球に比べて１ワット当たりの発光が多い。ＬＥＤは、小さくすることができ、プリント回路基板上への配置が容易である。ＬＥＤは、非常に迅速に始動してオンとなり、直ちに暗くすることができる。ＬＥＤは非常に少ない赤外光を含んで冷光を発する。ＬＥＤは、フィルタを要することなく生成された多色を現す。色の異なるＬＥＤを混合して白色光を生成することができる。ＬＥＤのその他の利点として、効率が高いこと、エネルギー消費が少ないこと、駆動電流が高くなるほど出力が高くなること、フィラメント、ガラス、又はチューブが割れることがなく衝撃耐性が高いこと、有毒物質、有害な水銀又はハロゲンガスを含有しないことが挙げられる。
【０００７】
[0007]  ある白色ＬＥＤランプの動作寿命は、連続使用で１００，０００時間、つまり１１年間である。ＬＥＤランプは動作寿命が長く、約５，０００時間の平均寿命の白熱電球と比べて遥かに長いため、ライティング装置を非常にアクセスしにくい箇所に取り付ける必要がある場合、ＬＥＤを使用することで通常の電球交換の必要性を最小限に抑えることとなる。白熱電球の場合、特に多数の白熱電球が使用される場合には、電球交換のコスト、電球交換に要する労力及び時間は著しいものになり得る。オフィスビルや高層ビルでは、電球交換コストが高価となり得るため、これをＬＥＤライティングで著しく抑えることができる。
【０００８】
[0008]  ＬＥＤライティングの重要な利点として、電力消費の低減が挙げられる。ＬＥＤ回路は、８０％の効率に接近しているが、これは電気エネルギーのうちの８０％が光エネルギーに変換され、残りの２０％が熱エネルギーとして喪失されることを意味する。しかしながら、白熱電球の場合、約２０％の効率で動作し、電気エネルギーの８０％は熱として喪失される。多くの白熱電球は１年以内に切れてしまって交換が必要となるが、ＬＥＤ光電球は、焼け切れることなく１０年は容易に使用できるため、修理及び交換が著しく削減できる。
【０００９】
[0009]  ＬＥＤ光（ライティング）バーは、白熱光より非常に優れたものと考えられる。白熱電球は長時間継続せず、フィラメントが焼け切れてしまう。ＬＥＤライトバーは、エネルギー消費がより少なく、寿命がより長い。ＬＥＤ光の出力は、白熱電球の出力に比べて遥かに明るい。
【００１０】
[0010]  警察車両、消防車両、及び救急車等、緊急車両用のＬＥＤライトバーでは、色とフラッシュパターンの組み合わせが可能である。救急車や警察車両等の緊急車両では、容易に認識でき、視認性を高めるために頂上部にＬＥＤライトバーを搭載することが好ましい。ＬＥＤライトバーは、暗所においても十分な光を発するため、緊急車両の外部のみならず、その内部においても使用することができる。さらにＬＥＤライトバーから生じる熱は少ないため、車両の内部に悪影響を及ぼすことはないであろう。
【００１１】
[0011]  ＬＥＤは、航空機ライティング、交通信号、並びにブレーキライト、方向指示器、及びインジケータ等、車載ライティングなどの多様な適用例において使用される。ＬＥＤは、サイズがコンパクトであり、切替速度が速く、信頼性に優れており、テキストや動画の表示、通信に有用であり、赤外ＬＥＤもまた、テレビ、ＤＶＤプレーヤー、及びその他の家電製品等、多くの市販製品の遠隔制御部に使用される。
【００１２】
[0012]  ＬＥＤ等の固体装置は、低電流且つ低温で操作されると、摩滅に優れている。ＬＥＤライトの出力は、実際には、より低温で上昇する（タイプによって約−３０℃で平準化する）。結果として、ＬＥＤ技術は、スーパーマーケットの冷凍庫のライトの良好な代替とされてもよく、多くの場合、他のタイプのライティングに比べて長く継続する。
【００１３】
[0013]  大面積ＬＥＤサイン及びディスプレイは、スタジアムディスプレイや装飾ディスプレイとして使用される。ＬＥＤメッセージディスプレイは、空港、鉄道駅において、列車、バス、路面電車、フェリー等の目的地表示に使用される。
【００１４】
[0014]  高効率高出力ＬＥＤの開発により、ＬＥＤライティング及び照明の使用がより有効となってきている。高出力白色光ＬＥＤライティングは、照明や、白熱光及び／又は蛍光によるライティングの代替として有用である。ＬＥＤの街路灯は、柱やポール、駐車場に使用される。ＬＥＤは、今や、商店、家庭、ステージや劇場、公共の場でも使用される。さらにカラーＬＥＤは、ムードの改善等のため、医学及び教育への適用例で有用である。多くの国では、家庭やオフィスでの白熱光ライティングはもはや不可能であり、建築物の規制により、新たな建物にはＬＥＤライティングの使用が求められる。
【００１５】
[0015]  しかしながら、室内のライティングには十分に強力であった従来のＬＥＤライティングは、比較的高価であり、匹敵する出力の蛍光光源に比べて、より精密な電流及び熱の管理が求められる。さらに従来のＬＥＤライティングは、その他の種別のライティングに比べて資本コストが高く、ＬＥＤライトは小さな面積の照明を対象とする傾向にある。さらに従来のＬＥＤ発光体は、ルーメンの出力不足による支障と、光の分散が所望の程度に得られないという問題がある。従来のＬＥＤライティングのこれらの側面は、個別に、又は組み合わせにより、ＬＥＤ発光体の効率的な利用を損なってしまう可能性がある。
【００１６】
[0016]  ライティング業界を悩ましてきた問題の１つは、いかに従来の長尺管状ライティング要素を端部コネクタを介して動作可能に搭載するかということに関連するものであった。以下に詳述するとおり、従来の管状ライティングは、管状の本体部の上又は内部に搭載されたＬＥＤ、蛍光を使用して可視光を生成するガス放電ランプ、又はその他の既知の光源である照明源を有するものであり、通常、管状本体部上に設けられ、機械的に本体部を動作可能状態に支持して光源の電源への電気的接続を有効にするバイピン／２ピン手段を利用する。
【００１７】
[0017]  通常、本体部は、中心軸を有する円筒形状を有する。バイピン手段を構成するピンは、本体部端部からカンチレバー式に突出する。本体部は、ピンを支持部／反射体上の離間コネクタ内に向けるように第１角度方向に据え付けられなければならず、後に機械的固定及び電気的接続といった効果をもたらす。
【００１８】
[0018]  搭載には、本体部の初期角度方向が精密であることが求められ、次いで本体部の両端部に同時にピンを据え付けるべく、再配置を制御することが求められる。多くの場合、このプロセス中に１つ以上のピンが誤配置されてしまい、電気的接続が成立しない。同様の誤配置により、機械的接続を損なうこともあり、そうすると本体部がコネクタから外れ、落下して損傷又は破損してしまうこともある。
【００１９】
[0019]  さらに支持部／反射体上のコネクタは、通常、屈曲し易いように搭載される。コネクタが支持部上で僅かに屈曲しただけで、本体部端部のピンを解放し、本体部全体を分離するのには十分である。さらに機械的に本体部を定位置に保持する従来のバイピン手段は、動力を光源に流通させもするが、非常に軽量の蛍光ライティング用に作成されており、ヒートシンクやＰＣＢ基板の必要性から重量の増したＬＥＤ管状ライティング用には設計されていない。本体部のみの重量により、支持部／反射体上のコネクタを互いから離間するように押さえる水平力要素を生じ、本体部が不安定に据え付けられたり、又は完全に解放されたりする。
【００２０】
[0020]  この種の、特にＬＥＤ照明源を備えたライティング構成のさらに他の問題として、本体部に接合された端部コネクタは、その性質上、整合的に組み付けるのが困難である。通常、製造プロセスには、端部コネクタと照明源との上に導電性要素を半田付けし、両者間で協働させるステップが含まれるであろう。このような設計には、ワイヤが共通して使用され、その端部が組み付けプロセス中に半田付けされる。導電性要素が正しく接続されなければ、システムは動作不能となることもある。半田接続は、使用中に力が加わると失敗する傾向にある。通常、これらの種の要素の組み付けに注意を払ったとしても、品質制御を高レベルに維持することは困難である。品質の問題とは別に、導体の電気接続を含む組み付けステップは、本質的に時間のかかるステップであり、比較的技術的な労働と、且つ／又は、高価な自動化システムを要することもある。このようなランプの解体も同様に困難であり、且つ高価である。組み付け及び解体に関連したこれらの困難の結果として、欠陥要素又は消耗要素の交換のためにこのようなランプを修理するのは、経済的に正当化するのが難しい。ほとんどの場合、ランプアセンブリ全体を単純に破棄し、新たなランプアセンブリに交換されるであろうが、結果として、相当な有用寿命を残したランプ要素が無駄にされる。
【００２１】
[0021]  ライティング業界におけるさらに他の問題として、緊急ライティング回路の適正な設計と制御に関連した困難とコストとが挙げられる。緊急ライティングシステムは、数えきれないほどの地方自治体、州、連邦、又はその他のコード及び規格による要求がある。これらのシステムは、正常時の電源が故障した際、指定の領域や設備に照明を自動供給するようになっており、人々を保護して建物から安全に脱出させ、救助者や修理員を助ける領域にライティングを行う。これらのシステムは、通常、規制により、正常時の電源の故障後、短時間（例えば、１０秒）で利用可能となる必要があり、緊急回路は、終端及びソースに至るまで、他のすべての回路から物理的に離間していなければならない。他のスタンバイシステムは、法的に要求されるものでないが、不快を防ぎ、製品又はプロセスに深刻な損傷を及ぼすことを防ぐためにライティングを行うことが望ましいこともある。
【００２２】
[0022]  特定の現地設置に適用されてもよい多くの規格及びコードに準拠した緊急ライティング回路の適正な設計及び制御は、メーカ、システムインテグレータ、電気技師、技術者にとって長きに亘って困難な挑戦であった。結果として、緊急ライティング回路又はスタンバイライティング回路の設計のアプローチが多数試みられてきた。既知のアプローチの１つとして、最低レベルの照明を提供する専用の照明であり、発電機又は無停電電源（ＵＰＳ）から供給される専用緊急ブレーカーパネルによって電力供給される多数の緊急時専用照明を提供することが挙げられる。無停電電源は、入力電源、通常は主電源が故障した時、緊急電力を負荷に与える電気装置である。ＵＰＳは、バッテリ又はフライホイールに溜めたエネルギーを供給することにより、入力電源の停電から略瞬時に保護を行う補助電力システム、緊急電力システム、又はスタンバイ発電機とは異なる。バックアップ電源に関わらず、正常時の電源が存在する時、緊急用装備は暗いままであり、制御回路が正常時の電源の故障を検出した時にエネルギーが印加される。このアプローチは、緊急用システム装備に潜在的に高いコストを伴い、正常条件の下で照明されない余分の発光体であるため視覚的に目立たないこともある。
【００２３】
[0023]  他のアプローチとして、バッテリ、充電器、及び負荷制御継電器を備えた自立型バッテリパック緊急ライトが挙げられる。これらのユニットは、正常時の電源に接続され、これがバッテリに一定の充電電流を供給する。停電中、負荷制御継電器が緊急ライトにエネルギー供給する。このアプローチは、物理的に離間した緊急回路の展開の必要性を回避するものであるが、通常、車両ヘッドライトバッテリパックユニットに似た審美的に好ましくない形態で実装される。
【００２４】
[0024]  さらに他のアプローチでは、正常時及び緊急時の双方に使用される同一のライト装備を使用する。これらのライトは、正常動作中、正常時のブレーカーパネルと壁部搭載スイッチとを使用して供給される。停電時、緊急伝送回路がブレーカーパネルへ供給するものを緊急用電源に伝送し、壁部スイッチの位置に関わらず負荷をライトに掛けるよう壁部スイッチをバイパスする。このようなシステムは審美的な効果を有するものの、高価であり、設計及び搭載が複雑である。その他の既知のアプローチも同様の欠点を有する。
【発明の概要】
【発明が解決しようとする課題】
【００２５】
[0025]  従って、以上の問題及び不都合の全部又は一部を克服する改良型ＬＥＤ照明アセンブリを提供することが望ましい。
【課題を解決するための手段】
【００２６】
[0026]  米国特許出願第１３／４４０，４２３号の開示を、本明細書に完全に記載したのと同様に参照としてここに組み込む。改良型発光ダイオード（ＬＥＤ）照明アセンブリは、新規の多面ＬＥＤライティングバーを備え、多面ＬＥＤライトバーとも称され、ＬＥＤライティングの改善のために非曲線ＬＥＤ発光体を備える。利点として、新規の多面ライトバーを備えた本発明のＬＥＤ照明アセンブリは、効率的、効果的、経済的、便利、且つ安全である。コンパクトな多面ライトバーを備えたユーザフレンドリーなＬＥＤ照明アセンブリは、目立つ照明を生成し、製造及び搭載が容易であり、寿命が長いことが望ましい。改良型ＬＥＤ照明アセンブリ及び魅力的な多面ライトバーはまた、信頼性、耐性、衝撃耐性、及び破損耐性が高い。
【００２７】
[0027]  改良型ＬＥＤ照明アセンブリは、２面、３面、４面、又は５面等の多面ライトバーと、内部非切替ドライバと、拡張可能な長さと、効率のために最適化されたエミッタカウントとを特徴とし得る。改良型ＬＥＤ発光体アセンブリはまた、並列−直列配線、独自の端部キャップ設計を使用した無ワイヤ設計、ビーム角度を変えるための設計要件に合わせたレンズカバーキャップ、及びドライバにおける冗長性を特徴とし得る。
【００２８】
[0028]  非曲線ＬＥＤ発光体を備えた新規の多面ＬＥＤライティングバーを有する本発明のＬＥＤ照明アセンブリは、従来のＬＥＤライティングに比して多くの利点を有する。
【００２９】
[0029]  １．多面ライトバーを使用することにより、遥かに広い光の分布を得ることができる。標準ソリューションは、半分の明るさに対して約１００〜１１０°の光線を有する。しかしながら、新規の多面ＬＥＤライティングバーを備えた本発明のＬＥＤ照明アセンブリは、明るさをほとんど、又は全く損なうことなく、完全に３６０°達することができる。さらに図示の２面設計では、半分の明るさに対して１８０°を超える角度に達することができる。他の利点として、近傍での使用が挙げられ、光源からたった数インチのところで対象をライティングする。
【００３０】
[0030]  ２．多面ライティングバーを備えた改良型ＬＥＤ照明アセンブリの内部ドライバは、従来のライティングに比べてより安価であり、労働が少なく、より簡易で、失敗の機会が減る。
【００３１】
[0031]  ３．多面ライティングバーを備えた改良型ＬＥＤ照明アセンブリの非切替ドライバは、４〜７倍のスケールで効率を向上する。従来のＬＥＤライティングバーで使用される通常の切替ドライバは、８０〜８５％の効率を有し、１５〜２０％の喪失があったが、一方で多面ライティングバーを備えた改良型ＬＥＤ照明アセンブリは、９５〜９７％の効率（３〜５％の喪失）を有することができ、従来のライティングに比べて４〜７倍効率が高い。この改善により、結果として、約２０％の全体的な効率の利得が得られる。電力の多くがＬＥＤに消費されるため、ドライバの効率が５倍向上し、全体の効率として２０％の利得が得られる。多面ライティングバーを備えた改良型ＬＥＤ照明アセンブリは、従来の切替ドライバで達成できなかった９０％超の効率を達成できることが望ましい。
【００３２】
[0032]  多面ライティングバーを備えた改良型ＬＥＤ照明アセンブリは、電圧源に対してエミッタカウントを最適化できることが望ましく、利点として、適切な数において並列−直列配置中でエミッタの配線を利用することができる。
【００３３】
[0033]  新規の多面ライティングバーを備えた改良型ＬＥＤ照明アセンブリでは、ビームの出力を変えるためにレンズを備えた拡散器を変更することができる。この配置を使用することにより、暗いスポットをなくすことができ、遥かに高い照明出力を得ることができる。多面ライティングバーを備えた改良型ＬＥＤ照明アセンブリは、一例として、視認可能なホットスポット又はコールドスポットを生じることなく、３６０°のビームを発することができる。
【００３４】
[0034]  多面ライティングバーを備えた改良型ＬＥＤ照明アセンブリはまた、新規の配置及び設計の長さに論理的制限がないため、拡張可能な長さを有することができる。しかしながら、この長さは、顧客ニーズ、コスト、利用可能なスペース、及び生産能力に応じて決められてもよい。
【００３５】
[0035]  多面ライティングバーを備えた改良ＬＥＤ照明アセンブリはさらに信頼性を向上させるために、並列複合ドライバサブ回路を使用してドライバの冗長性を有する。これにより、他の２つの重要な目的を達成する。
【００３６】
[0036]  １．多面ライティングバーを備えた改良型ＬＥＤ照明アセンブリは、すべてのエミッタに対して均一で精密な電力レベルを得る。一方、従来のＬＥＤ設計は、すべてのエミッタに対する電流を均一に制御するものでなく、すべての並列回路、通常は３〜８個ほどの多数の回路に計量された電流を印加するものであり、サブ回路毎の制御がないため、各並列回路でこの電流が異なり得た。多面ライティングバーを備えた改良型ＬＥＤ照明アセンブリは、ライトアセンブリ全体のすべてのエミッタが正確に同一の電流を得られるよう、各サブ回路を独立して制御することができる。
【００３７】
[0037]  ２．多面ライティングバーを備えた改良型ＬＥＤ照明アセンブリは、サブ回路が故障した場合でも、出力の信頼性を達成するものである。
【００３８】
[0038]  ３つの分岐回路すなわちサブ回路に３００ｍＡの出力を有する従来のＬＥＤ設計では、１つが故障すると、２つのサブ回路がともに３００ｍＡを分け合うため、１００ｍＡ〜１５０ｍＡが充てられることとなり、電流に大きな変化が生じるため、望ましくなく、カスケードの故障を生じがちである。多面ライティングバーを備えた改良型ＬＥＤ照明アセンブリでは、１つのサブ回路が故障すると、残りの回路はそれまでと全く同様に動作し、無期限でこのように動作することが可能である。
【００３９】
[0039]  さらに多面ライティングバーを備えた改良型ＬＥＤ照明アセンブリでは、ライトアセンブリのどの部分も完全に暗くならず、単に薄暗くなるようにサブ回路を広げることができる。これは、サインのライトアップの際に非常に重要となり得るものであり、１箇所が少し暗くなったとしても、依然としてサインがライトアップされ、読み取り可能となるようにする。
【００４０】
[0040]  従来のＬＥＤ照明では、すべてのエミッタが互いに直列であり、１つのＬＥＤが故障すると、その行全体が次第に消えて（クリスマスツリーのライトを想像すればよい）、ライトアセンブリの全体が暗くなるが、多面ライティングバーを備えた改良型ＬＥＤ照明アセンブリでは、一連又はセットのエミッタが他の各エミッタと並列に配列及び接続されており、１つのサブ回路が故障しても、ＬＥＤ照明アセンブリのＬＥＤランプは５０％の明るさとなるものの、縁部から縁部まで均一に点灯する。
【００４１】
[0041]  多面ライティングバーを備えた改良型ＬＥＤ照明アセンブリはまた、初期段階の資本コストを上回る効率を達成する。従来のＬＥＤ設計は、エミッタ毎のルーメンを最大化するよう試みて、エミッタの使用（「スペック」）に合わせて設計がなされた。「スペックで」動作するエミッタは、合計で約８０ルーメン／ワットを得るものであった。
【００４２】
[0042]  多面ライティングバーを備えた改良型ＬＥＤ照明アセンブリは、非常に価値のあるいくつかの目標を達成するよう特異的に低頻度駆動することができる。
【００４３】
[0043]  １．寿命の長さ。例えば、７０％の定格出力で動作するエミッタは、５０，０００時間の仕様である時、７０，０００〜８０，０００時間継続する。２４時間、１週間７日動作した場合、５．７年に対して８．６年の違いである。
【００４４】
[0044]  ２．有効性の高さ。多面ライティングバーを備えた改良型ＬＥＤ照明アセンブリは、エミッタの電流駆動を下方調整することにより、合計で１００Ｌ／Ｗシステムを超えることができる。多面ライティングバーを備えた改良型ＬＥＤ照明アセンブリは、より多くのエミッタを加えることにより、同一の合計出力を達成することができる。これにより初期段階のコストは高くなるが、動作コストは遥かに下がる。これは、ＬＥＤがより低いスペックで駆動されるとより効率が高く長く継続するため、高出力３６００Ｌ  ＬＥＤライトバーを全く同一の設計でありながら異なる駆動動作レベルに設定した高効率３０００Ｌ  ＬＥＤライトバーと比較した図示の動作コストチャートに示されている。
【００４５】
[0045]  ３．信頼性の高さ。期待される寿命において、ＬＥＤエミッタは、温度がＬＥＤ駆動電流と正比例する場合、エミッタが低温であるほどルーメンをより長く維持し、色温度をより長く維持する。高出力駆動されたＬＥＤは、「スペック」で駆動されたものに比べて早く色温度の正確さを失う。低出力駆動されたＬＥＤは、「スペック」で駆動されたものに比べてルーメン及び色温度をより長く維持することができる。
【００４６】
[0046]  改良型ＬＥＤ照明アセンブリは、改良型ＬＥＤ発光体アセンブリの新規のライトバーが電気ワイヤを有することがないように、無線設計とすることができる。この配置により、組み付けの問題を減らし、組み付けの手作業部分の複雑さに関連する失敗率を低下させることができる。従来のＬＥＤライトバーは、少なくとも１２個の手作業による半田接合部分を含み得た。新規の設計は、電気配線を１００％なくしつつ、手作業による半田接合を２つのみに抑えることができる。標準電気ワイヤをなくすことにより、初期段階の信頼性と長期に亘る信頼性との双方を向上することができる。
【００４７】
[0047]  改良型発光ダイオード（ＬＥＤ）照明アセンブリは、長手方向に両端部を備えたパネルを規定することのできるモジュール基板を備えた、複合の、いくつかの多数の、又は多くの面を有する多面長尺管状アレイを有する非曲線ＬＥＤ発光体を備えた、多面モジュールＬＥＤライトバーとも称される複合面モジュールＬＥＤライティングを備えることができる。管状アレイは、円形断面構成、長円形構成、楕円形団名構成、及び略曲線状又は丸い断面構成を伴わない、非曲線断面構成（断面）を有することが好ましい。多面管状アレイの各面は、アレイの端部から見て略平坦な面を有することができ、隣接する面が互いに交差し、傾斜角で合流する。ドライバ基板を備えた内部非切替プリント回路基板（ＰＣＢ）ドライバを、不可避的に配置し、多面アレイに接続することができる。後述のドライバは、任意であるが、管状アレイの内部に位置決めされた内部又は内側ドライバボードとすることができ、又は、管状アレイの多面の１つを備え、提供する外部又は外側ドライバ基板とすることができる。多面のうちの少なくとも２つ又はいくつかは、長尺ＬＥＤ  ＰＣＢパネルを提供可能なモジュールＬＥＤエミッタ基板を備えることが望ましい。ドライバ基板を備えた内側ドライブは、ＬＥＤエミッタ基板を駆動することができ、互いに直列及び／又は並列に接続された１つ以上のモジュールドライバ基板を備えることができる。
【００４８】
[0048]  非曲線（ＬＥＤ）発光体を提供する多面ライトバーを備えた改良型ＬＥＤ照明アセンブリは、ＬＥＤ照明の改善及び動作効率の向上のための光分布パターンにおけるエミッタ基板から外側に光を発して分布させるため、各エミッタ基板に固定位置決め、搭載、及び配置されたグループ、セット、マトリクス、シリーズ、多数、複数、又はアレイ状の発光ダイオード（ＬＥＤ）を備えたＬＥＤエミッタの最適カウントを有することができる。
【００４９】
[0049]  端部キャップ基板とも称されるコネクタ端部基板を提供する１つ以上の端部キャップＰＣＢコネクタを、管状アレイの端部の一方又は双方に位置決め、内側ドライバ基板及びエミッタ基板に接続することができる。コネクタ端部基板は、少なくとも１つのライトソケットに係合するよう長手方向外側に延びることのできるコネクタピンを有することができる。１つ以上の端部キャップは、端部キャップＰＣＢコネクタの周囲に位置決めすることができる。端部キャップは、エミッタ基板に当接して係合し、エミッタ基板を締め付けるよう長手方向内側に延びることのできるクランプを提供するブラケットセグメントを有することができる。
【００５０】
[0050]  基板は、コネクタ端部基板上のコネクタが、ドライバ基板及びエミッタ基板上の嵌合係合可能な雌コネクタ及び雄コネクタに嵌合係合、接続、及び挿入されるように、嵌合係合可能な雄コネクタ及び雌コネクタを有することができる。
【００５１】
[0051]  エミッタ基板及びドライバ基板を備えた基板は、略矩形とすることができる。エミッタ基板を備えた多面アレイの各面は、単一のエミッタ基板を備えることができ、或いは、端部同士を長手方向に接続した、セット、シリーズ、複数、又は多数の長尺エミッタ基板を備えることができる。エミッタ基板を備えた面は、管状アレイのすべての面又は管状アレイの面のうちの１つ除くすべての面を備えることができ、残りの１つの面がドライバ基板を備えるものとすることができる。ドライバ基板は、単一のドライバ基板を備えるものとすることができ、又は端部同士を長手方向に接続した多数のドライバ基板を備えるものとすることができる。
【００５２】
[0052]  金属多面を備えた多面管状ヒートシンクは、支持を行い、エミッタ基板及び駆動基板から発生した熱を消散させるため、多面管状アレイの径方向内側に位置決めすることができる。ヒートシンクは、多面管状アレイの断面構成に対して略補完的又は略同様の管状断面を有することができる。ヒートシンクの断面は、円形断面、長円形断面、楕円形断面、及び実質的に丸い曲線状の断面を伴わない非曲線断面を有することができるのが好ましい。
【００５３】
[0053]  非曲線（ＬＥＤ）発光体を提供する多面ライトバーを備えた改良型ＬＥＤ照明アセンブリは、ＬＥＤエミッタを並列、且つ／又は直列に接続するため、エミッタトレースを有することができ、交流電流（ＡＣ）ライン及び／又は直流電流（ＤＣ）ラインを有することができる。エミッタは、略均一等分に離間配列されたＬＥＤエミッタを少なくとも１行備えることができる。多面ライトバーは、電気ワイヤを伴わない無ワイヤ設計を提供することが望ましい。
【００５４】
[0054]  非曲線（ＬＥＤ）発光体を提供する多面ライトバーを備えた改良型ＬＥＤ照明アセンブリは、ＬＥＤエミッタから発せられた光を反射、拡散、及び／又は集光するため、ＬＥＤエミッタの周囲に位置決められ、ＬＥＤエミッタを被覆する透光性レンズを提供する長尺光拡散器カバーを備えた拡散器も有することができる。
【００５５】
[0055]  一実施形態において、ライティングバーは２面ライティングバーを備え、アレイは２面アレイを備え、ヒートシンクは少なくとも２面を備えたヒートシンクを備え、エミッタ基板は１８０°未満〜０°超の範囲の傾斜角度で略Ｖ字型構成に配置され、ドライバはＶ字型構成の開放端部の付近に位置決められている。
【００５６】
[0056]  他の実施形態において、ライティングバーは３面ライティングバーを備え、アレイはデルタすなわち三角形状の３面アレイを備え、ヒートシンクはデルタすなわち三角形状の断面を備えた管状３面ヒートシンクを備え、傾斜角度は１８０°未満〜０°超の範囲とすることができ、約１２０°であることが好ましい。ドライバは、３面ヒートシンクのデルタすなわち三角形状の断面の内部に位置決めることができる。
【００５７】
[0057]  さらに他の実施形態において、ライティングバーは４面ライティングバーを備え、アレイは四角形すなわち矩形アレイを備え、ヒートシンクは四角形すなわち矩形の断面を備える管状４面ヒートシンクを備え、傾斜角は約９０°の直角とすることができる。
【００５８】
[0058]  さらに他の実施形態において、ライティングバーは５面ライティングバーを備え、アレイは五角形アレイを備え、ヒートシンクは五角形断面を備えた管状５面ヒートシンクを備え、五角形の交差面の傾斜角度は、鋭角、好ましくは約７２°とすることができる。
【００５９】
[0059]  ５面以上を備えたライトバー、アレイ、及びヒートシンクも使用することができる。
【００６０】
[0060]  改良型ＬＥＤ照明アセンブリは、屋外サイン又は屋内サイン等、照明ＬＥＤサインを備えることができる。屋外サインは、ドライブスルーレストラン等で使用される屋外メニューボードを備えるものとすることができる。屋内サインは、屋内レストラン等で使用される屋内メニューボードを備えるものとすることができる。屋内サインは、その他の用途のためにも提供可能である。照明ＬＥＤサインは、ライトソケットを備えたハウジングと、ハウジングと接続される照明ウィンドウを提供する少なくとも１つの透光性パネルと、照明ウィンドウを介して発光するライトソケットと接続される、上述の種別の多面ライトバーとも称される複合面ＬＥＤライティングバーとを備え、照明ウィンドウは、閉鎖位置から、ＬＥＤライティングバーにアクセスする開放位置へと移動可能とすることができる。ライティングバーは、ハウジングの一部に沿って垂直、水平、長手方向、横断方向、又は横方向に延びるものとすることができる。照明ウィンドウは、拡散器によって被覆されるものとすることができる。
【００６１】
[0061]  改良型ＬＥＤ照明アセンブリはまた、透光性天井タイルを備えた半透明天板と、ライトソケットを備えた少なくとも１つのドロップ天井ライト装備と、ライトソケットに接続され、半透明天板を通じて室内に向かって下側に発光すべく、天板の上方に位置決められた、上述の種の少なくとも１つの多面ＬＥＤライティングバー（多面ライトバー）とにより、オーバーヘッド天井ライトを提供するオーバーヘッドＬＥＤライティングアセンブリを備えるものとすることができる。少なくとも１つの凹状光反射体は、ＬＥＤライティングバーの上方に位置決めすることができる。
【００６２】
[0062]  本発明の好適な一様態によると、発光体は、非曲線的すなわち直線的形状で提供される。より好適な一様態によると、発光体は、三角長尺形状を有する。個々のＬＥＤ、電源、及び搭載基板は、発光体の長尺面のいずれかの内部に設けられるか、これに沿って設けることができる。
【００６３】
[0063]  有利な点として、特許請求項で引用した非曲線ＬＥＤ照明を有する新規の多面ＬＥＤライティングバーを備えた改良型ＬＥＤ照明アセンブリは、予期しなかった驚異的に良好な結果をもたらした。
【００６４】
[0064]  本願において使用される「非曲線」という用語は、端部キャップ、端部キャップコネクタ、又はヒートシンクの一部が曲線状、すなわち丸くなっていたとしても、面が略平坦すなわち平面状であることを意味する。
【００６５】
[0065]  一形態において、本発明は、離間した第１端部と第２端部との間に長さを有する本体部を備えた長尺管状ライティングアセンブリに関連する。「管状」という用語は、少なくとも部分的に中空である内部を有するいずれかの断面形状の長尺形態を含む。管状ライティングアセンブリは、本体部上又は本体部内に設けられた照明源と、管状ライティングアセンブリの支持部上に本体部を動作可能な状態に維持する、第１本体部端部及び第２本体部端部に各々設けられた第１コネクタ及び第２コネクタとを備える。第１コネクタは、協働する第１部分及び第２部分を備える。第１コネクタ部分は、本体部の第１端部に設けられる。第２コネクタ部分は、管状ライティングアセンブリの支持部上に設けられる。第１コネクタ部分及び第２コネクタ部分は、各々、第１面及び第２面を有する。第１コネクタ部分及び第２コネクタ部分は、第１コネクタ部分が記第２コネクタ部分に対して、本体部の長さに対して横断方向の略直線状経路における第２コネクタ部分から完全に離間した位置から係合位置に移動する事象として、本体部の動作可能状態において第１コネクタ部分と第２コネクタ部分との離間を防ぐため、第１面及び第２面が対向関係に配置される。
【００６６】
[0066]  一形態において、照明源は、ａ）ＬＥＤと、ｂ）蛍光を使用して可視光を生成するガス放電ランプとのうちの少なくとも１つを備える。
【００６７】
[0067]  一形態において、第２コネクタは、各々、第１コネクタ部分及び第２コネクタ部分と構造的に略同一であり、第１コネクタ部分及び第２コネクタ部分が本体部の第１端部で互いに相互作用するのと同様に、本体部の第２端部で互いに相互作用する第３コネクタ部分及び第４コネクタ部分を有する。
【００６８】
[0068]  一形態において、第１コネクタ部分及び第２コネクタ部分は、第１コネクタ部分が係合位置に向かって移動する際、第１コネクタ部分が第２コネクタ部分と逆に移動することにより、第１コネクタ部分と第２コネクタ部分の少なくとも一方の一部が再構成されて第１面及び第２面を対向関係に配置させる。
【００６９】
[0069]  一形態において、第１コネクタ部分は、縁部に囲まれた開口を有する。第２コネクタ部分は、第２面の規定された第１屈曲可能部分を有する。第２コネクタ部分は、第１屈曲可能部分が、ａ）開口の縁部に係合され、第１コネクタ部分が係合位置まで係合位置に向かって移動される際、第１屈曲可能部分が完全離間位置にある第１コネクタ部分とともに留まる保持位置から組み付け位置へと次第にカム動作させられ、ｂ）組み付け位置から第１コネクタ部分が係合位置にある保持位置へ戻る。
【００７０】
[0070]  一形態において、第１屈曲可能部分は、一体ヒンジを介して第２持コネクタ部分の他の一部に接合される。
【００７１】
[0071]  一形態において、第１コネクタ部分は、開口が貫通して形成される壁部を有する。第１面は、壁部の内面によって規定される。壁部は、各第１面の反対側に対向して設けられた第３面と、第２コネクタ上に設けられた第４面とを有する。壁部は、第１コネクタ部分が係合位置にある状態で第２面と第４面との間に抜け落ち不能に存在する。
【００７２】
[0072]  一形態において、第２コネクタ部分は、アクチュエータを有する。第２コネクタ部分は、第１コネクタ部分が係合位置にある状態で、アクチュエータが再配置可能であることにより、第１屈曲可能部分をその組み付け位置に向かって移動させ、第１コネクタ部分を第２コネクタ部分から離間させる。
【００７３】
[0073]  一形態において、縁部は、開口の周囲全体に延びる。
【００７４】
[0074]  一形態において、開口及び第２コネクタ部分は、第１コネクタ部分が完全離間位置と係合位置との間で変化するのに合わせて第２コネクタ部分が開口内に向かわされる際、第２コネクタ部分を開口と合致するよう配列すべく、縁部及び第２コネクタ部分上の面が協働する。
【００７５】
[0075]  一形態において、第２コネクタ部分は、第１屈曲可能部分と同一に構成された第２屈曲可能部分を有し、第１屈曲可能部分が対応保持位置と組み付け位置との間で移動する際に縁部と協働するのと同様に、縁部と協働する。第１屈曲可能部分及び第２屈曲可能部分は、保持位置から組み付け位置に変化する際、互いに向かって移動可能である。
【００７６】
[0076]  一形態において、第１コネクタ部分は、本体部の第１端部にある第１端部キャップアセンブリの一部である。
【００７７】
[0077]  一形態において、第１端部キャップアセンブリは、本体部の第１端部が内部に延びる、本体部の第２端部に向かう第１レセプタクル開口を規定する第１カップ状要素を有する。
【００７８】
[0078]  一形態において、第１端部キャップアセンブリはさらに、少なくとも、第１コネクタ基板を備える。照明源及び少なくとも第１コネクタ基板は、本体部の第１端部及び第１端部キャップアセンブリが本体部の長さに略平行な方向において接続関係となるよう互いに向かって移動する事象として、電気的に接続される（すなわち、アセンブリが電源に接続されると、電流が流れてもよい導電性経路を介して接続される）。
【００７９】
[0079]  一形態において、第１端部キャップアセンブリは、本体部の第１端部及び第１端部キャップアセンブリが接続関係にある状態で、本体部の第１端部が内部に延びる、本体部の第２端部に向かう第１レセプタクル開口を規定する第１カップ状要素を備える。
【００８０】
[0080]  一形態において、長尺管状ライティングアセンブリは、第２コネクタ部分に電気的に接続される電源との組み合わせで提供される。第１コネクタ部分が完全離間位置から係合位置に移動する事象として電気的に接続される少なくとも第１コネクタ基板及び第２コネクタ部分上には、電気コネクタ要素が存在する。
【００８１】
[0081]  一形態において、長尺管状ライティングアセンブリは、第２コネクタ部分が上部に配置される反射体を有する本体部の支持部との組み合わせで提供される。
【００８２】
[0082]  一形態において、第２コネクタ部分は、反射体とは別の要素である。第２コネクタ部分及び反射体は、第２コネクタ部分及び反射体が圧接可能となるように構成される。
【００８３】
[0083]  一形態において、照明源は、少なくとも１つのＬＥＤエミッタパネルを備える。
【００８４】
[0084]  一形態において、第１コネクタ部分は、本体部の第１端部に設けられる第１端部キャップアセンブリの一部である。第１端部キャップアセンブリは、本体部の第１端部が内部に延びる、本体部の第２端部に向かう第１レセプタクル開口を規定する第１カップ状要素を備える。第３コネクタ部分は、本体部の第２端部にある第２端部キャップアセンブリの一部である。第２端部キャップアセンブリは、本体部の第２端部が内部に延びる、本体部の第１端部に向かう第２レセプタクル開口を規定する第２カップ状要素を有する。
【００８５】
[0085]  一形態において、第１端部キャップアセンブリは、少なくとも第１コネクタ基板を備える。第２端部キャップアセンブリは、少なくとも第２コネクタ基板を備える。照明源及び少なくとも第１コネクタ基板は、本体部の第１端部及び第１端部キャップアセンブリが本体部の長さに略平行な方向において接続関係となるよう互いに向かって移動する事象として、電気的に接続される。照明源及び少なくとも第２コネクタ基板は、本体部の第２端部及び第２端部キャップアセンブリが本体部の長さに略平行な方向において接続関係となるよう互いに向かって移動する事象として、電気的に接続される。
【００８６】
[0086]  一形態において、長尺管状ライティングアセンブリは、第２コネクタ部分及び第４コネクタ部分が上に配置される支持部と電源との組み合わせで提供される。端部キャップアセンブリ、第１コネクタ部分、及び第３コネクタ部分は、第１コネクタ部分が離間位置から係合位置に移動し、第３コネクタ部分が第４コネクタ部分に対して対応する完全離間位置から係合位置に移動する事象として、第２コネクタ部分及び第４コネクタ部分が第１端部キャップ及び第２端部キャップの各々と本体部とを接続関係に固定するようにする。
【００８７】
[0087]  一形態において、長尺管状ライティングアセンブリは、照明源からの光を反射、拡散、及び／又は集光する光拡散器カバーとの組み合わせで提供される。
【００８８】
[0088]  一形態において、本発明は、離間した第１端部と第２端部との間に長さを有する本体部を備えた長尺管状ライティングアセンブリに関連する。管状ライティングアセンブリは、本体部上又は本体部内に設けられた照明源と、本体部を動作可能な状態に各々維持する、第１本体部端部及び第２本体部端部に各々設けられた第１コネクタ及び第２コネクタとを備え、照明源は、電源に対して動作可能に接続される。第１コネクタは、本体部と本体部の支持部とに各々設けられた、協働する第１コネクタ部分及び第２コネクタ部分を有する。第１コネクタ部分及び第２コネクタ部分上の導電性コネクタ要素は、照明源と電源とを電気的に接続する。第１コネクタ部分及び第２コネクタ部分は、導電性コネクタ要素から独立してともに保持されることにより、本体部を動作可能状態に維持する。
【００８９】
[0089]  一形態において、長尺管状ライティングアセンブリは、照明源の電源との組み合わせで提供される。
【００９０】
[0090]  一形態において、第１コネクタ部分及び第２コネクタ部分は、互いにスナップ接続され、第１コネクタ部分及び第２コネクタ部分が互いに向かって、且つ、互いとは反対側に相対移動する事象としてともに保持される。
【００９１】
[0091]  一形態において、第２コネクタは、第１コネクタ部分及び第２コネクタ部分と各々構造的に略同一であり、第１コネクタ部分及び第２コネクタ部分が本体部の第１端部で互いに相互作用するのと同様に、本体部の第２端部で互いに相互作用する面を有する第３コネクタ部分及び第４コネクタ部分を備える。
【００９２】
[0092]  一形態において、第３コネクタ部分及び第４コネクタ部分は、互いにスナップ接続され、第３コネクタ部分及び第４コネクタ部分を互いに向かって、且つ、互いとは反対側に相対移動する事象としてともに保持される。
【００９３】
[0093]  一形態において、第１コネクタ部分及び第２コネクタ部分と、第３コネクタ部分及び第４コネクタ部分とは、第１コネクタ及び第３コネクタの搭載された本体部が本体部の長さに対して横断方向に移動する事象として、スナップ接続される。
【００９４】
[0094]  一形態において、第１コネクタ部分及び第２コネクタ部分は、第１コネクタ部分及び第２コネクタ部分が互いにスナップ接続される事象として、第１コネクタ部分及び第２コネクタ部分上の導電性コネクタ要素が互いに電気的に接続される。
【００９５】
[0095]  一形態において、第１コネクタ部分は、第１端部キャップアセンブリの一部である。第１端部キャップアセンブリ及び照明源は、本体部の第１コネクタ部分及び第１端部が本体部の長さに略平行な方向において互いと反対、且つ、互いに向かって移動する事象として、第１コネクタ部分上の導電性要素の１つが照明源に電気的に接続される。
【００９６】
[0096]  一形態において、第１端部キャップアセンブリは、本体部の第１端部が内部に向かって延びる第１カップ状要素を有する。
【００９７】
[0097]  一形態において、本発明は、離間した第１端部と第２端部との間に長さを有する本体部を備えた長尺管状ライティングアセンブリに関連する。管状ライティングアセンブリは、本体部上又は本体部内に設けられた照明源と、管状ライティングアセンブリの支持部上に本体部を動作可能な状態に維持する、第１本体部端部及び第２本体部端部に各々設けられた第１コネクタ及び第２コネクタとを備える。第１コネクタは、協働する第１部分及び第２部分を有する。第１コネクタ部分は、本体部の第１端部に設けられる。第２コネクタ部分は、管状ライティングアセンブリの支持部上に設けられる。第１コネクタ部分及び第２コネクタ部分の各々に設けられた少なくとも１つの導電性要素は、互いに電気的に接続し、照明源と電源とを電気的に接続する。照明源は、少なくとも１つの導電性要素を有する。第１コネクタ部分、本体部、及び照明源は、第１コネクタ部分及び本体部の第１端部が初期段階の完全離間状態から互いに向かって、且つ、互いの反対方向に移動する事象として、照明源上の少なくとも１つの導電性要素が第１コネクタ部分上の少なくとも１つの導電性要素に電気的に接続される。
【００９８】
[0098]  一形態において、第２コネクタは、各々、第１コネクタ部分及び第２コネクタ部分と構造的に略同一であり、第１コネクタ部分及び第２コネクタ部分が本体部の第１端部で互いに相互作用するのと同様に、本体部の第２端部で互いに相互作用する第３コネクタ部分及び第４コネクタ部分を有する。
【００９９】
[0099]  一形態において、第１コネクタ部分、第２コネクタ部分、本体部、及び照明源は、ａ）照明源上の少なくとも１つの導電性要素が、第１コネクタ部分上の少なくとも１つの導電性要素と電気的に接続され、ｂ）本体部、第１コネクタ部分、及び第３コネクタ部分が本体部の長さに略平行な方向において互いに向かって、且つ、互いとは反対側に移動される事象として、照明源上の少なくとも１つの他の導電性要素が第３コネクタ部分上の少なくとも１つの他の導電性要素に電気的に接続される。
【０１００】
[0100]  一形態において、第１コネクタ部分は、本体部の第１端部が内部に向かって延びる、本体部の第２端部に向かって開口する第１カップ状要素を有する第１端部キャップアセンブリの一部である。
【０１０１】
[0101]  一形態において、第３コネクタ部分は、本体部の第２端部が内部に向かって延びる、本体部の第１端部に向かって開口する第２カップ状要素を有する第２端部キャップアセンブリの一部である。
【０１０２】
[0102]  一形態において、長尺管状ライティングアセンブリは、第２要素部分及び第４要素部分が配置される支持部との組み合わせで提供される。本体部が動作可能状態にある時、第１カップ状要素及び第２カップ状要素は、第１カップ状要素及び第２カップ状要素が各々、本体部の第１端部及び第２端部から離間しないよう遮断されるように、第２コネクタ部分及び第４コネクタ部分の間に抜け落ち不能に据え付けられる。
【図面の簡単な説明】
【０１０３】
【図１】[0103]本発明の原則に係る天板上の天井に搭載された３面デルタ非曲線ＬＥＤ発光体を備えるＬＥＤドロップ天井器具の斜視図である。
【図２】[0104]図１に示す３面デルタ非曲線ＬＥＤ発光体を備えるＬＥＤドロップ天井器具の部分拡大図である。
【図３】[0105]図１に示す３面デルタＬＥＤ非曲線発光体を備えるＬＥＤドロップ天井器具の断面図である。
【図４】[0106]図１に示す３面デルタＬＥＤ発光体の拡大斜視図である。
【図５】[0107]本発明の原則に係る４面矩形又は正方形の非曲線ＬＥＤ発光体の斜視図である。
【図６】[0108]本発明の原則に係る５面五角形非曲線ＬＥＤ発光体の斜視図である。
【図７】[0109]図６の５面五角形非曲線ＬＥＤ発光体の拡大断面図である。
【図８】[0110]ドライブスルーメニューボードへの適用等、２面デルタ非曲線ＬＥＤ発光体を備えた屋外サインを提供する屋外メニューボードの斜視図であって、本発明の原則に係る、部分的に開放されたメニューボードドアを示している。
【図９】[0111]図８に示す屋外メニューボードの部分拡大図である。
【図１０】[0112]レストラン等で使用される３面デルタ非曲線ＬＥＤ発光体を備えた屋内サインを提供する屋内メニューボードの斜視図であって、本発明の原則に係る部分開放位置にあるパネルドアの１つを示している。
【図１１】[0113]図１０に示す屋内メニューボードの部分拡大図である。
【図１２】[0114]本発明の原則に係る３面デルタ非曲線ＬＥＤ発光体の分解組立図である。
【図１３】[0115]図１２に示す３面デルタ非曲線ＬＥＤ発光体の右側部分の拡大図である。
【図１４】[0116]図１２に示す３面デルタ非曲線ＬＥＤ発光体の左側部分の拡大図である。
【図１５】[0117]本発明の原則に係る２面非曲線ＬＥＤ発光体の分解組立図である。
【図１６】[0118]図１５に示す２面非曲線ＬＥＤ発光体の右側部分の拡大図である。
【図１７】[0119]本発明の原則に係る他の２面非曲線ＬＥＤ発光体の分解組立図である。
【図１８】[0120]図１７に示す２面非曲線ＬＥＤ発光体の右側部分の拡大図である。
【図１９】[0121]本発明の原則に係る２面デルタ非曲線ＬＥＤ用の端部キャップコネクタ基板の斜視図である。
【図２０】[0122]図１９に示す端部キャップコネクタ基板に接続された面実装型コネクタの斜視図である。
【図２１】[0123]図２０に示す面実装型コネクタに接続されたドライバ基板の一部の斜視図である。
【図２２】[0124]図２１に示すドライバ基板の周囲、且つ、端部キャップコネクタ基板の反対側に配置された３面デルタヒートシンクチューブの一部の斜視図である。
【図２３】[0125]面実装型コネクタに接続され、図２２に示すヒートシンクチューブの周囲に配置されるＡＣ電源トレース及びＤＣ電源トレースを備えたエミッタ基板上のエミッタの斜視図である。
【図２４】[0126]図２３に示すエミッタの周囲におけるレンズの一部の斜視図である。
【図２５】[0127]図２４に示すレンズの左側端部における端部キャップの一部の斜視図である。
【図２６】[0128]端部キャップを備えた２面デルタ非曲線ＬＥＤ照明の斜視図であり、エミッタ基板上のエミッタと、面実装型コネクタに接続されたＡＣ電源トレース及びＤＣ電源トレースとを示すため、レンズの一部を取り外して示している。
【図２７】[0129]本発明の原則に係る２面デルタ非曲線ＬＥＤ発光体用の端部キャップコネクタ基板又はコネクタ端部基板とドライバ基板との斜視図である。
【図２８】[0130]端部キャップコネクタ基板に接続されたエミッタ基板コネクタの斜視図であり、図２７に示すドライバ基板及び端部キャップコネクタ基板に接続されたドライバコネクタを示している。
【図２９】[0131]ヒートシンクチューブの周囲、且つ、図２８に示す端部キャップコネクタ基板の反対側のエミッタ基板に搭載されたＬＥＤエミッタの斜視図であり、トレース及びジャンパを示している。
【図３０】[0132]図２７に示す端部キャップコネクタ基板の正面図である。
【図３１】[0133]本発明の原則に係る非曲線ＬＥＤ照明で使用され、長手方向に端部同士を接続されるエミッタ基板の斜視図である。
【図３２】[0134]図３１に示すエミッタ基板に搭載されたＬＥＤエミッタの斜視図であり、エミッタ基板コネクタを示している。
【図３３】[0135]本発明の原則に係る３面デルタ非曲線ＬＥＤ発光体用のデルタＬＥＤ配線模式図である。
【図３４】[0136]エミッタの直線行から発光される光分布パターンであり、「ベースライン」又は「事前光角度」と称することもある。
【図３５】[0137]本発明の原則に係る２面デルタ非曲線ＬＥＤ発光体から発光される光分布パターンであり、「事後光角度」と称することもある。
【図３６】[0138]４つのライトバーが１又は４行で６インチ離間した前向きエミッタの従来の平坦面から発光される光分布パターンであり、「事前光配列」と称することもある。
【図３７】[0139]本発明の原則に係る２面デルタ非曲線ＬＥＤ発光体の４つのライトバーから発光される光分布パターンであり、「事前光配列」と称することもある。
【図３８】[0140]２面屋外サインの照明等、１８０°でエミッタの裏側同士を２平面列に配列した従来のセットアップから発光される光分布パターンである。
【図３９】[0141]本発明の原則に係る３面デルタ非曲線ＬＥＤ発光体から発光される光分布パターンであり、前向き面の薄暗い区域を低減し、略反射体に入る２つの暗い区域と直接照明に使用される１つの区域との間の均衡をとるように最適化されている。
【図４０】[0142]単一のエミッタから発光される光分布パターンである。
【図４１】[0143]図４０に示すエミッタのセット又は行から発光される光分布パターンである。
【図４２】[0144]単一の前向きエミッタから発光される光分布パターンである。
【図４３】[0145]図４に示す前向きエミッタのセット又は行から発光される光分布パターンである。
【図４４】[0146]本発明の原則に係る非曲線ＬＥＤ発光体と、従来のＬＥＤ及び蛍光照明との動作コストを比較したグラフであり、Ｘ軸は年の単位で時間を表し、Ｙ軸は米ドル（ＵＳＤ）を表す。
【図４５】[0147]本発明の原則に係るプロトタイプの非曲線ＬＥＤ発光体の模式図である。
【図４６】[0148]図４５に示すプロトタイプの非曲線ＬＥＤ発光体の上面図である。
【図４７】[0149]本発明の原則に係る他のプロトタイプの非曲線ＬＥＤ発光体の模式図である。
【図４８】[0150]図４７のＡ−Ａ線に沿った本発明の原則に係るプロトタイプのデルタ３面非曲線ＬＥＤ発光体の拡大断面図である。
【図４９】[0151]図４８のＢ線に沿った非曲線ＬＥＤの底面図である。
【図５０】[0152]本発明の原則に係るさらに他のプロトタイプのデルタ３面非曲線ＬＥＤ発光体の拡大断面図である。
【図５１】[0153]図５０に示すプロトタイプのデルタ３面非曲線ＬＥＤ発光体の一部の斜視図である。
【図５２】[0154]コンパクトランプ形状用のランプベースにおけるピン配置の斜視図である。
【図５３】[0155]２ピンランプ用コンパクトランプベースにおけるピン配置の正面図及び底面図である。
【図５４】[0156]４ピンランプ用コンパクトランプベースにおけるピン配置の正面図及び底面図である。
【図５５】[0157]本体部上のコネクタが支持部上に照明源及び協働コネクタを有する、従来の管状ライティングアセンブリの一端の断片分解斜視図である。
【図５６】[0158]図５５と同様の図であり、本体部を搭載のために配列した図である。
【図５７】[0159]図５６と同様の図であり、本体部の他端において、且つ、支持部上に協働コネクタを示している。
【図５８】[0160]図５６に対応し、協働コネクタに係合するよう本体部を上方に押した様子を示している。
【図５９】[0160]図５７に対応し、協働コネクタに係合するよう本体部を上方に押した様子を示している。
【図６０】[0161]図５８に対応し、協働コネクタを通じてチューブを定位置に係止するようチューブを回した様子を示している。
【図６１】[0161]図５９に対応し、協働コネクタを通じてチューブを定位置に係止するようチューブを回した様子を示している。
【図６２】[0162]本発明に係る長尺管状ライティングアセンブリの断片斜視図であり、照明源が上又は内部に設けられた本体部の一端に協働コネクタ部分を示している。
【図６３】[0163]図６２と同様の図であり、コネクタ部分が互いに完全に離間した様子を示している。
【図６４】[0164]図６３と同様の図であり、協働コネクタ部分が本体部の他端に示されている。
【図６５】[0165]図６３に対応し、コネクタ部分がともにスナップ嵌合された様子を示している。
【図６６】[0165]図６４に対応し、コネクタ部分がともにスナップ嵌合された様子を示している。
【図６７】[0166]図６３及び図６４に対応し、本体部全体を示すため、縮小して統合された様子を示している。
【図６８】[0167]図６７と同様の図であり、図６５及び図６６に対応し、本体部全体を示すため、統合された様子を示している。
【図６９】[0168]図６８と同様の図であり、照明源を露出するように拡散カバーを取り外した様子を示している。
【図７０】[0169]図６９に示す管状ライティングアセンブリの分解斜視図である。
【図７０ａ】[0170]図７０に示す本体部の同一端部で使用されている２つの基板の代わりに、本体部の一端に設けたコネクタ基板の模式図である。
【図７１】[0171]図６５に示すコネクタ部分と照明源用のコネクタ基板を備える端部キャップアセンブリの拡大斜視図である。
【図７２】[0172]図７１に示す要素の分解斜視図である。
【図７２ａ】[0173]図７２と同様の図であるが、異なる視点から見たものであり、コネクタ部分の一方の一部が破損している様子を示している。
【図７２ｂ】[0174]図７２ａと同様の図であり、部品が組み付けられている。
【図７３】[0175]図７２に示す要素の分解図であり、異なる視点から見たものある。
【図７４】[0176]図６３の関係において示したコネクタ部分の拡大端面図である。
【図７５】[0177]図７４と同様の図であり、図６５の関係におけるコネクタ部分を示している。
【図７６】[0178]図７３と同様の図であり、異なる視点から見たものである。
【図７７】[0179]図７６と同様の図であり、コネクタ部分が図６９に示すように接合された様子を示している。
【図７８】[0180]本発明に係る管状ライティングアセンブリの模式図である。
【図７９】[0181]図７２と同様の図であり、コネクタ部分の一方を円筒形本体部と協働するよう変形した形態を示している。
【図８０】[0182]図７９と同様の図であり、コネクタ部分がともにスナップ嵌合された様子を示している。
【図８１】[0183]本発明に係る管状ライティングアセンブリの変形形態の模式図である。
【図８２】[0184]本発明に係る管状ライティングアセンブリのさらに他の変形形態の模式図である。
【図８２ａ】[0185]本発明に係る図６９及び図７０の管状ライティングアセンブリに略対応する分解斜視図であるが、図８２の模式図に示すとおり、コネクタ要素及びコネクタ基板が一端において取り外された様子を示している。
【図８３】[0186]本発明に係る管状ライティングアセンブリのおける本体部の他の変形形態の一部を示す端面図である。
【図８４】[0187]図８３と同様の図であり、本発明に係る本体部のさらに他の変形形態を示している。
【図８５】[0188]図８４と同様の図であり、拡散器カバーがヒートシンクに対して組み付け前位置に据え付けられた様子を示している。
【図８６】[0189]図８４と同様の図であり、本発明に係る本体部のさらに他の変形形態を示している。
【図８７】[0190]本発明に係る管状ライティングアセンブリの変形形態の分解斜視図であり、無停電電源がヒートシンク内に配置された様子を示している。
【発明を実施するための形態】
【０１０４】
[0191]  以下、詳細に示す例示としての実施形態を以上に簡単に述べた添付の図面とともに参照することにより、本発明の原則をより詳細に説明する。
【０１０５】
[0192]  以下は、本発明の好適な実施形態と本発明を実施する最良の形態との詳細な説明及び解説である。
【０１０６】
[0193]  図面を参照すると、図１は、多面ＬＥＤライトバーとも称される複合面モジュールＬＥＤライティングバー１０２を備えた２バイ４（２×４）ＬＥＤドロップ天井器具１０１を備えるオーバーヘッド天井ライティングを提供するオーバーヘッドＬＥＤライティングアセンブリを備えた発光ダイオード（ＬＥＤ）ライト照明アセンブリ１００の斜視図である。ライティングバーは、３面デルタ三角形状端部キャップ１０８から延び、ライトソケット１１０を固定的に係合することのできる電源コネクタピン１０６等により、天井１０４に搭載可能な３面デルタ三角形状非曲線発光ダイオード（ＬＥＤ）発光体１０３を備えるものとすることができる。図２は、図１の３面デルタ非曲線ＬＥＤ発光体を備えるＬＥＤドロップ天井器具を備えた多面ＬＥＤライティングバーの部分拡大図である。直立金属面部材１１２は、ライトソケットとオーバーヘッド金属凹部光反射体１１４との間で一体的に延び、両者間を接続することのできるブラケットを提供することができる。光反射体は、光を下側に床に向かって反射するよう、３面デルタ非曲線ＬＥＤ発光体の上方に位置決めすることができる。３面デルタ非曲線ＬＥＤ発光体、ソケット、及び反射体は、格子状又はパターン状に配置された透光性天井タイルを提供する透光性半透明天板１１６（図１）の上方に位置決めすることができる。天井タイルは、ＬＥＤから床に向かって発せられた光を拡散及び／又は集光する透光性レンズを提供する長尺光拡散器１１７を備えるものとすることができる。天板は、縦列及び横列に配置された天板コネクタ１２０の天井格子１１８によって接続することができる。図３は、３面デルタＬＥＤ非曲線発光体を備えたＬＥＤドロップ天井器具の断面図であり、モジュールＬＥＤエミッタ基板とも称される長尺ＬＥＤエミッタプリント回路基板（ＰＣＢ）パネル１２２を示している。ＬＥＤ  ＰＣＢパネルは、３面デルタすなわち三角形のエミッタ基板アレイ又はエミッタ基板セットを形成するよう、デルタすなわち三角形の長尺３面管状金属ヒートシンク１２４（図１）の面の径方向外側に搭載、又は固定及び／又は位置決められるものとすることができる。３面ヒートシンクの交差面は、所望に応じて、持ち上げられ、丸められ、又は面取りされ得るヒートシンクの角部及び頂点を提供することができる。ドライバ基板を備えた内部非切替ＰＣＢ１２５は、エミッタ基板を駆動するため、アレイの内部に位置決めすることができる。図４は、３面デルタＬＥＤ発光体の拡大斜視図である。３面ＬＥＤエミッタＰＣＢパネルは各々、均一等分に離間配列されたＬＥＤエミッタ１２６の１つ以上の行のセット、マトリクス、又はアレイを含むことができる。ヒートシンクは、アルミニウム押し出しを備えることができ、ＬＥＤエミッタ及びドライバによって生じた熱を消散させることができる。
【０１０７】
[0194]  図５は、端部キャップ１３３とライトソケットに固定係合するため外側に延びた電源コネクタピン１３４を有することのできる矩形すなわち四角形の４面非曲線ＬＥＤ発光体１３２を提供する４面モジュールＬＥＤライティングバー１３１（ＬＥＤライトバー）を備えたＬＥＤ照明ライトアセンブリ１３０の斜視図である。４面ＬＥＤ発光体は、アルミニウム押し出し等により形成された長尺４面管状金属ヒートシンク１３６を有することができる。４面ヒートシンクの交差面は、所望に応じて、持ち上げられ、丸められ、屈曲され、又は面取りされ得るヒートシンクの角部及び頂点１３７を提供することができる。モジュールエミッタ基板を提供する長尺ＬＥＤエミッタＰＣＢパネル１３８は、略矩形状のアレイのヒートシンクの径方向外側に搭載又は固定及び／又は位置決めされ得る。ＬＥＤエミッタＰＣＢパネルは各々、矩形とすることができ、均一等分に離間配列されたＬＥＤエミッタ１４０を１行以上含むことができる。ヒートシンクは、ＬＥＤエミッタにより生じた熱を消散することができる。端子１４２は、ねじ１４６で端部キャップに締め付け可能な、端部キャップ基板とも称されるコネクタ端部基板を備えた端部キャッププリント回路基板（ＰＣＢ）コネクタ１４４に接続することができる。ドライバ基板を備えた内部非切替ＰＣＢドライバは、エミッタ基板を駆動するため、アレイの内部に位置決めすることができる。
【０１０８】
[0195]  図６は、５面五角形非曲線ＬＥＤ発光体１５２を提供する５面モジュールＬＥＤライティングバー１５１（ＬＥＤライトバー）を備えたＬＥＤ照明アセンブリ１５０の斜視図である。発光体は、端部キャップ１５３と、ライトソケットに固定係合するため外側に延びた電源コネクタピン１５４とを有することができる。５面ＬＥＤ発光体は、アルミニウム押し出し等により形成された長尺５面５角形管状金属ヒートシンク１５６を有することができる。五角形ヒートシンクの交差面は、所望に応じて、持ち上げられ、丸められ、屈曲され、又は面取りされ得るヒートシンクの角部及び頂点１５７を提供する。長尺ＬＥＤエミッタＰＣＢパネル１５８は、モジュールＬＥＤエミッタ基板とも称されるが、ＬＥＤエミッタＰＣＢパネルの５面五角形アレイを形成するよう搭載されるか、又はヒートシンク上及び／又はヒートシンクの径方向外側に固定されるものとすることができる。５面ＬＥＤエミッタＰＣＢパネルは各々、矩形とすることができ、均一等分に離間配列されたＬＥＤエミッタ１６０の１行以上含むことができる。端子１６２は、ねじ１６６で端部キャップに締め付けられる、端部キャップ基板とも称されるコネクタ端部基板を備えた端部キャップＰＣＢコネクタ１６４に接続することができる。図７は、５面五角形非曲線ＬＥＤ発光体の拡大断面図である。ドライバ基板を備えた内部非切替ＰＣＢドライバ１６８は、エミッタ基板を駆動するため、アレイの内部に位置決めすることができる。ヒートシンクは、ＬＥＤエミッタ及びドライバにより生じる熱を消散することができる。
【０１０９】
[0196]図８は、ドライブスルーメニューボードへの適用等、２面又はデルタの非曲線ＬＥＤ発光体１７４を備えた２面モジュールＬＥＤライティングバー１７３（ＬＥＤライトバー）を有する屋外サイン１７２を提供することのできる長尺屋外メニューボード１７１を備えたＬＥＤ照明アセンブリ１７０の斜視図である。図８はまた、部分的に開放された前面メニューボードドア１７６も示している。前面メニューボードは、照明メニューウィンドウ１８２を備えるドアプレックスを提供することのできる透光性パネル１８０の周囲を包囲し、固定する矩形フレーム１７８を備えることができる。メニューウィンドウは、ＬＥＤから外側に発せられた光を拡散及び／又は集光する透光性レンズを提供することのできる長尺光拡散器１８３を備えることのできる照明看板を提供することができる。前面メニューボードドアは、屋外メニューボードハウジング１８８の頂上部１８４又は面１８６のうちの１つに対して枢動可能にヒンジ留めされるか、又は取り外し可能に取り付けられるものとすることができる。ハウジングの背面も、所望により、屋外メニューボードの前面及び背面の双方を照明できるよう透光性パネルを有することができる。２面デルタ非曲線ＬＥＤ発光体は、電源コネクタピン等によりライトソケットアセンブリ１９０に接続することができる。２面デルタ非曲線ＬＥＤ発光体は、屋外メニューボードハウジングの内部に対して垂直、長手方向、横方向、横断方向、又は水平方向に位置決めることができる。メニューボード垂直直立支持ポスト１９２は、矩形、四角形、又は円形断面を有することができるが、基板に搭載されることができ、ハウジングの垂直中央線に沿ってメニューボードハウジングの頂上部に接続されることにより、屋外メニューボードハウジング、ドア、及び照明メニューウィンドウを支持及び昇降することができる。図９は、屋外照明メニューボードの部分拡大図である。
【０１１０】
[0197]  図１０は、これに限定されるものでないがカウンタ２０８、壁部２１０〜２１３、出口及び／又は入口ドア２１４、並びにカウンタ２１４を備えたレストラン２０６等に使用される２面又は３面のデルタ非曲線ＬＥＤ発光体２０４を備える２面又は３面のモジュールＬＥＤライティングバー２０３（ＬＥＤライトバー）を有した壁部搭載屋内サイン２０２を提供する長尺屋内メニューボード２０１を備えたＬＥＤ照明アセンブリ２００の斜視図であり、メニューパネルドア２１６の１つが部分的開放位置にある様子を示している。図１１は、屋内メニューボードの部分拡大図である。メニューボードの背面２１８は、壁部に固定搭載することができる。メニューボードの前面は、水平配列メニューパネルドアのセット又はアレイ等、１つ以上のメニューパネルドアを備えることができる。各メニューパネルドアは、照明メニューウィンドウ２２４を備えたドア頂上部を提供することのできる透光性パネル２２２の周囲を包囲し、これを固定する矩形フレーム２２０を備えることができる。メニューウィンドウは、ＬＥＤから外側に発せられた光をレストランの室内すなわち内部に拡散及び／又は集光する透光性レンズを提供することのできる長尺光拡散器２２５を備えることのできる照明看板を提供することができる。各メニューボードパネルドアは、メニューボードハウジング２３０の頂上部２２６又は面２２８の１つに対して枢動可能にヒンジ留めされるか、又は取り外し可能に取り付けされることができる。２面又は３面のデルタ非曲線ＬＥＤ発光体は、電源コネクタピン等によりライトソケットアセンブリ２３２に接続することができる。２面デルタ非曲線ＬＥＤ発光体は、屋外メニューボードハウジングの内部に垂直、長手方向、横方向、横断方向、又は水平方向に位置決めすることができる。
【０１１１】
[0198]  図１２は、デルタすなわち三角形状の３面非曲線ＬＥＤ発光体２４２を提供する３面モジュールＬＥＤライティングバー２４１（ＬＥＤライトバー）を備えたＬＥＤ照明アセンブリ２４０の分解組立図である。図１３は、図１２に示す３面デルタ非曲線ＬＥＤ発光体の右側部分の拡大図である。図１４は、図１２に示す３面デルタ非曲線ＬＥＤ発光体の左側部分の拡大図である。３面デルタ非曲線ＬＥＤ発光体は、押し出しアルミニウム等より形成される３面デルタ三角形状金属ヒートシンク２４３を有することができる。ヒートシンクの頂上部を提供する交差角部２４４は、所望に応じて、持ち上げられ、丸められ、又は面取りされるものとすることができる。長尺ＬＥＤエミッタＰＣＢパネル２４６〜２４８は、略三角形すなわちデルタ形状のヒートシンクに搭載されるか、又はヒートシンクの径方向外側に固定及び／又は位置決められるものとすることができる。ＬＥＤエミッタＰＣＢパネルは各々、矩形とすることができ、均一等分に離間配列されたモジュールＬＥＤエミッタ２５０の１行以上を含むことができる。内部非切替長尺プリント回路基板９ＰＣＢ）ドライバ２５２は、ドライバ基板とも称されるが、ヒートシンクに囲まれた内部領域の長さに沿って、且つ内部領域内に配置することができる。ヒートシンクは、ＬＥＤエミッタ及びＰＣＢドライバにより発せられた熱を消散することができる。エミッタ基板端子２５４〜２５６は、ＬＥＤエミッタ基板から長手方向外側に延びるものとすることができる。ドライバ基板端子２５８は、ＰＣＢドライバの長手方向外側に延びるものとすることができる。三面デルタ三角形状非曲線ＬＥＤ発光体は、端部キャップ内のねじ穴２６５を通ってねじ等の留め具２６４によりデルタすなわち三角形状の三面端部キャップ２６２及び２６３に各々固定することができる、端部キャップ基板とも称されるコネクタ端部基板を備えた３面デルタ端部キャップＰＣＢコネクタ２６０及び２６１を有することができる。端部キャップは、丸められた角部２６６又は頂上部を有することができる。電源コネクタピン２６８は、ライトソケットの固定係合のため端部キャップのコネクタピン受容穴２７０を通じてコネクタ端部基板から横方向外側に延びるものとすることができる。コネクタ端部基板は、エミッタ基板端子に接続することのできる、その３面に沿って長手方向内側に延びる端部キャップ基板端子２７２を有することができる。コネクタ端部基板は、コネクタ端部基板の中央部分から長手方向内側に向かって延びるドライバ基板接続端子２７４も有することができ、駆動基板端子に接続されるものとすることができる。デルタすなわち三角形状の３面カバー２７６は、端部キャップの周囲に位置決めするリムを提供することができる。図１４に最もよく示されるとおり、コネクタ端部基板は、各々、２つの面２８０及び２８２の間に中央Ｕ字型凹状切り欠き部分２７８を有することができ、残りの２つの面の下方部分の下方に延びる下方第３面２８４を有することができる。面２８０〜２８４は直線状で、平坦且つ平面状とすることができる。
【０１１２】
[0199]  図１５は、デルタすなわち三角形状の３面金属ヒートシンク２９７の３面２９４〜２９６のうちの２つの面２９４及び２９５に搭載又は固定され、且つ／又は、２つの面２９４及び２９５の径方向外側に位置決めされることのできるモジュールＬＥＤエミッタ基板を備えた長尺ＬＥＤエミッタＰＣＢパネル２９３が２つのみ設けられること以外は、図１２〜１４に示すデルタすなわち三角形状の３面非曲線ＬＥＤ発光体と同様の２面長尺非曲線ＬＥＤ発光体２９２を提供する２面モジュールＬＥＤライティングバー２９１（ＬＥＤライトバー）を備えたＬＥＤ照明アセンブリ２９０の分解組立図である。２つのＬＥＤエミッタパネルは、略Ｖ字型に位置決めすることができる。図１６は、図１５に示す２面非曲線ＬＥＤ発光体の右側部分の拡大図である。ＬＥＤエミッタＰＣＢパネルは、各々、矩形とすることができ、均一等分に離間配列されたＬＥＤエミッタ２９８の１行以上を含むことができる。内部非切替長尺プリント回路基板（ＰＣＢ）ドライバ３００は、ヒートシンクに囲まれた内部領域の長さに沿って、且つ内部領域内に位置決めすることができる。ヒートシンクは、ＬＥＤエミッタ及びＰＣＢドライバにより発せられた熱を消散することができる。エミッタ基板端子３０２及び３０４は、エミッタ基板コネクタとも称されるが、ＬＥＤエミッタ基板から長手方向外側に延びるものとすることができる。ドライバ基板端子３０６は、ＰＣＢドライバから長手方向外側に延びるものとすることができる。２面デルタ三角形状非曲線ＬＥＤ発光体は、端部キャップ内のねじ穴３１８を通ってねじ等の留め具３１６によりデルタすなわち三角形状の三面端部キャップ３１２及び３１４に各々固定することができる、コネクタ端部基板を備えたデルタすなわち三角形状の３面コネクタ端部基板３０８及び３１０を有することができる。電源コネクタピン３２０は、ライトソケットを固定係合するため、端部キャップのコネクタピン受容穴３２２を通ってコネクタ端部基板から横方向外側に延びるものとすることができる。コネクタ端部基板は、その３面のうちの２つに沿って長手方向内側に延びるものとすることができ、エミッタ基板端子とともに配列され、エミッタ基板端子に接続されることのできる、面実装型コネクタとも称される端部キャップ基板端子３２４を有することができる。コネクタ端部基板は、ＰＣＢ端部キャップコネクタ基板の中央部分から長手方向内側に延び、ドライバ基板端子に接続することのできるドライバ基板接続端子３２６も有することができる。凹状で半透明又は透明の透光性レンズを備えた長尺光拡散器カバー３２８は、ＬＥＤエミッタから発せられる光を反射、拡散、及び／又は集光するため、ＬＥＤエミッタ基板を被覆することができる。このレンズは、プラスチック又はガラスで形成することができ、丸められて半円形状とされ、ＬＥＤエミッタの径方向外側に位置決めされることができる。このレンズは、ヒートシンクの周囲にスナップ嵌合することのできる、内側を向いた脚部３２９を有することができる。
【０１１３】
[0200]  図１７は、デルタすなわち三角形状の３面金属ヒートシンク３３４の２面上に搭載又は固定され、且つ／又は２面の径方向外側に位置決められることのできるモジュールＬＥＤエミッタを備えた長尺ＬＥＤエミッタＰＣＢパネルが２セット又は２アレイ３３３が設けられたことを除いて、図１５及び図１６に示す２面非曲線ＬＥＤ発光体と同様の他の２面非曲線ＬＥＤ発光体３３２を提供する２面モジュールライトバー３３１を備えたＬＥＤ照明アセンブリ３３０の分解組立図である。図１８は、図１７に示す２面非曲線ＬＥＤ発光体の右側部分の拡大図である。モジュールＬＥＤエミッタＰＣＢパネルの各セット又は各アレイは、これに限定されるものでないが、エミッタＰＣＢパネル端子コネクタ３４０及び３４２を介して端部同士を長く長手方向に延び、配列及び接続されたモジュールを提供する３つの長尺ＬＥＤエミッタＰＣＢパネル３３６〜３３８等の２つ以上のＬＥＤエミッタＰＣＢパネルを有する。各ＬＥＤエミッタＰＣＢパネルは、矩形とすることができ、均一等分に離間配列されたＬＥＤエミッタ３４３の１行以上含むことができる。ＬＥＤ発光体は、端部キャップのねじ穴３４８を通じてねじ又はその他の留め具によりデルタすなわち三角形状の３面端部キャップ３４６に固定することのできるコネクタ端部基板を備えたデルタすなわち三角形状の３面端部キャップコネクタ３４４を有することができる。電源コネクタピン３５０は、端部をライトソケット内に差し込んで固定係合するため、端部キャップのコネクタピン受容穴を通じてコネクタ端部基板から横方向外側に延びるものとすることができる。コネクタ端部基板は、その３面のうちの２つに沿って長手方向内側に延びるものとすることができ、エミッタ基板端子に接続することのできる端部キャップ基板端子３５２を有することができる。拡散器の拡散器カバーを備えた長尺の半透明又は透明の透光性プラスチックレンズ３５４は、ＬＥＤエミッタ基板を被覆することができる。このレンズは、丸められ、半円形とされ、ＬＥＤエミッタの径方向外側に位置決めされることができる。このレンズは、ヒートシンクの周囲にスナップ嵌合することのできる、内側を向いた脚部３５６を有することができる。
【０１１４】
[0201]  図１９は、図１５及び図１６に示すようなデルタすなわち三角形状の２面非曲線ＬＥＤ発光体を提供する２面ＬＥＤバーを備えたＬＥＤ照明アセンブリ用の、コネクタ端部基板又は端部キャップ基板とも称される端部キャップＰＣＢコネクタ３６０の斜視図である。端部キャップＰＣＢコネクタは、凸状屈曲弓型面３６４及び３６６を備えた面のうちの２つの間に中央Ｕ字型凹状切り欠き部分３６２を有することができ、２つの凸状面の下方部分の下方に延びることのできる直線平坦平面状面３６８を備えた下方第３面を有することができる。ＰＣＢコネクタは、端部キャップＰＣＢコネクタ上の電気要素を接続するための電気トレース３７２に加え、ＡＣ電源ピンコネクタ又はＡＣホットピンコネクタとも称されるコネクタピンホール３７０を有することができる。図２０に示すとおり、面実装型コネクタ３７４〜３７６は、エミッタ基板コネクタ又は端部キャップ基板端子とも称されるが、コネクタ端部基板の面に近接してコネクタ端部基板の側面部分に接続されることができる。端部キャップＰＣＢコネクタの面実装型コネクタは、ドライバを備えた内部非切替長尺ドライバ基板３８０の、ＰＣＢドライバコネクタとも称される駆動基板コネクタ３７８（図２１）に接続されることができる。デルタすなわち三角形状の３面金属ヒートシンクチューブ３８２（図２２）は、管状ヒートシンクとも称されるが、ドライバ基板の周囲において、キャップコネクタ端部基板の反対側に位置決めされることができる。ヒートシンクは、モジュールＬＥＤエミッタ基板とも称される、長尺ＬＥＤエミッタＰＣＢパネル３８８（図２３）を支持するため、その底面縁部に沿って上側を向いたエミッタ支持溝部３８４及び３８６を有することができる。ＬＥＤエミッタＰＣＢパネルは、ヒートシンク上に搭載又は固定され、且つ／又は、ヒートシンクの径方向外側に位置決めされることにより、Ｖ字型アレイを形成することができる。各ＬＥＤエミッタＰＣＢパネルは、均一等分に離間配列されたＬＥＤエミッタ３９０を１行以上含むことができる。ヒートシンクは、ＬＥＤエミッタ及びドライバ基板により発せられた熱を消散することができる。エミッタ基板コネクタ３９２は、エミッタ基板端子とも称されるが、エミッタ基板の端部から延びるものとすることができ、端部キャップＰＣＢコネクタの端部キャップ基板端子を備えた面実装型コネクタに接続することができる。エミッタトレース３９４は、ＬＥＤエミッタを直列に接続することができ、端部トレース３９６は、エミッタをエミッタ基板コネクタに接続することができる。交流電流（ＡＣ）電源トレース３９８は、エミッタ基板上で余剰トレース３９９及び直流電流（ＤＣ）トレース４００と並列に位置決めされることができる。拡散器カバー又は拡散器を備えた長尺の半透明又は透明の透光性レンズ４０２（図２４）は、ＬＥＤエミッタ基板を被覆することができる。レンズは、丸められ、半円形とされ、且つ／又は、ＬＥＤエミッタの径方向外側に位置決めされることができる。このレンズの長尺長手方向下方端部４０４は、脚部を備えることができ、ヒートシンクの溝部内に嵌合し、溝部に支持されるものとすることができる。端部キャップ４０６（図２５）は、���ンズの端部及び端部キャップＰＣＢコネクタの周囲に位置決めされることができる。図２６は、端部キャップを備えたデルタすなわち三角形状の３面非曲線ＬＥＤ発光体の斜視図であり、エミッタ基板上のエミッタと面実装型コネクタに接続されたＡＣ電源トレース及びＤＣ電源トレースとを示すため、レンズの一部を取り外して示している。図２６に示すとおり、端部キャップは、長手方向内側に延びることのできるブラケットセグメントを備えた弓型屈曲凹状ブラケット４０８を有することができ、エミッタ基板の頂上端部に対して固定係合、把持、スナップ嵌合、締め付け、及び保持するため、端部キャップの周辺の一部の周囲に位置決められたクランプを提供することができる。
【０１１５】
[0202]  ＡＣトレース４１０（図２７）及びＤＣトレース４１２は、ドライバ基板３８０上のドライバ回路４１４に接続されることができる。ドライバコネクタ３７８（図２８）は、端部キャップＰＣＢコネクタ（コネクタ端部基板又は端部キャップ基板）３７２の、エミッタ基板コネクタとも称される面実装型コネクタ３７５とともにドライバ回路に接続されることができる。配置によっては、端部キャップコネクタ基板は、エミッタ基板及び／又はドライバ基板上の雌コネクタと嵌合係合し、これに差し込まれる、長手方向内側に延びたコネクタピン３７９を備える雄コネクタ３７７を有することができ、端部キャップコネクタ基板は、エミッタ基板及び／又は駆動基板上の雄コネクタと嵌合係合可能（嵌合）な雄コネクタの長手方向外側に延びたコネクタピンを受容し、これに差し込まれる雌コネクタ３７４を有することができるが、図示の実施形態においては、より長いライトバーには６個のピンコネクタを使用することが望ましいが、エミッタ基板及びドライバ基板の各々の端部には４つのピンコネクタが設けられている。
【０１１６】
[0203]  端部キャップＰＣＢコネクタは、ＬＥＤからのＤＣを受容するため、ＤＣ返還端子４１８とともに、３つのＬＥＤストリングに直流（ＤＣ）を導通させるＤＣ電源端子４１６（図３０）を有することができる。ＡＣ中性トレース４２０は、反対側から延びるものとすることができる。端部キャップＰＣＢコネクタは、ＡＣ中性端子４２２及びＡＣホット端子４２４も有することができる。
【０１１７】
[0204]  図２９は、ヒートシンクチューブ（管状ヒートシンク）の周囲において端部キャップコネクタの反対側でモジュールＬＥＤエミッタ基板に搭載されたＬＥＤエミッタの斜視図である。エミッタは、エミッタ基板の反対側の面又は端部からＡＣ又はＤＣのいずれかを搬送するため、エミッタ基板コネクタに接続された余剰トレース４２６を有することができる。エミッタ基板は、エミッタ基板コネクタと直列−並列ジャンパ４３０に接続された規制ＤＣ返還トレース４２８も有することができる。図面は、いかにしてドライバが雄コネクタ及び雌コネクタの双方を備えたデルタ２面構成においてコネクタ端部基板に接続されるかを示しており、配置（モジュール）によっては、必要とされる端部キャップ基板は１つのみであり、Ｗ構成において双方のエミッタ基板を通じて電気信号を送信する内蔵電気ループ内に設計される。
【０１１８】
[0205]  端部キャップ基板は、ワイヤを伴うことなく直接半田付けされた電源ピンを有することができる。ドライバ基板は、直接ソケットに嵌め込まれ、チューブ（管状アレイ）内に位置決めされることができる。各エミッタ基板は、ワイヤを伴うことなく直接ソケットに嵌め込むことができる。余剰トレースは、チューブ（ヒートシンク）全体に亘って延びる主電源ワイヤの必要性を除くのに必要な際に利用される。
【０１１９】
[0206]  図３１は、図１７及び図１８に示すような端部同士を長手方向に接続したモジュールエミッタ基板４３２及び４３４の斜視図である。エミッタ基板は、プリントエミッタ基板回路４３６及びサブ回路４３８を有することができる。図３２は、ＬＥＤエミッタ３９０とエミッタ基板に搭載された直列−並列ジャンパ４３０の斜視図であり、エミッタ基板の端部に接続可能なエミッタＰＣＢパネル端子コネクタを備えたエミッタ基板コネクタ４４０及び４４２を示している。
【０１２０】
[0207]  図３３は、デルタすなわち三角形状の３面非曲線ＬＥＤ発光体を提供する３面ＬＥＤライティングバー（ＬＥＤライトバー）を備えたＬＥＤ照明アセンブリのデルタＬＥＤ配線の模式図である。発光体は、モジュールＬＥＤエミッタ基板の行４５０〜４５２を備えた３面を有することができる。各行は、エミッタ端部トレース４５４〜４５９により、端部キャップＰＣＢコネクタ（コネクタ端部基板又は端部キャップ基板）４６０及び４６２に並列に接続されるものとすることができる。ＬＥＤエミッタ基板の各行は、エミッタ直列トレース４６８及び４７０によって互いに直列に接続されることのできる３つの配列されたモジュールＬＥＤエミッタ基板４６４〜４６６を備えることができる。エミッタ端部トレースは、ドライバ基板４７２に並列に接続可能な独立のＤＣ規制返還ライン（トレース）４５７〜４５９を備えることができる。共通ＤＣアウトレットライン（トレース）４７４は、独立のＤＣ規制返還ラインと並列にドライバ基板に接続されるものとすることができる。共通ＤＣアウトレットラインは、端部キャップＰＣＢコネクタ４６２を通じ、底部行４５２のＬＥＤエミッタ基板を通じて、端部キャップＰＣＢコネクタ４６０に接続されるように、エミッタ端部トレース４５４〜４５６に並列に延びる。ＡＣライン（トレース）４７６は、ドライバ基板から端部キャップ４６２まで外側に、且つこれに限定されるものでないが他の電気要素又はＡＣ電源まで延びるものとすることができる。余剰ＡＣライン（トレース）４７８は、ＡＣを搬送するワイヤの必要性をなくすため、ドライバ基板から端部キャップＰＣＢコネクタ４６２及びＬＥＤエミッタ基板の頂上部行４５０を通じて端部キャップＰＣＢコネクタ４６０まで延びるものとすることができる。配線図には、エミッタ基板上のジャンパ等を使用することにより、種々の並列−直列電気接続を可能にするすべてのエミッタ基板上に設けられた並列経路が含まれ得る。
【０１２１】
[0208]  図３３の配線図は、すべてのワイヤをなくした様子を示している。図面はドライバと端部キャップとの間のジャンパケーブルとして設けられるものを示しているが、これらは直接接続されるため、コネクタのみが存在する。より具体的には、交流電流（ＡＣ）は、２つの端部キャップに加わる。すなわち、一方で「ホット」となり、他方で「中性」となる。ＡＣの一方側は、エミッタ基板の１つのストリングに沿って主要端部キャップ（図３３の右側に示す）に供給され、ＡＣの残りの半分に出会い、ドライバ基板に供給される。ドライバ基板は、ＡＣを直流（ＤＣ）に変換し、１つのトレース上のＤＣ電流をエミッタ基板の１つの行上にある余剰トレースを通じて２次端部キャップに送り、ここで同一の高電圧ＤＣをエミッタの各ストリングに印加するように結合される。エミッタの各ストリングの下方側には、高精度にエミッタの各ストリングへ個別に送られる電流を制御する独立電流制御ドライバを有するドライバに戻る独立トレースが存在する。実際には各エミッタ基板を多数のトレースが通っているため、いずれかの基板をいずれかのサブドライバに割り当てることができるように配線図を簡易化している。
【０１２２】
[0209]  配線図は、３つのエミッタ基板の３つのストリングを設けた例を示している。すなわち、上３つのエミッタ基板に亘るドライバ部「ａ」と、中間の３つのエミッタ基板に該当するドライバ部分「ｂ」と、下３つのエミッタ基板に該当するドライバ部分「ｃ」であるが、冗長性を最大化するため、実際にはドライバが３つの基板を担当して隣同士のエミッタ基板を点灯させないように配線することができる。
【０１２３】
[0210]  （実施例）この場合、エミッタ基板は、以下のドライバの組み合わせをとる。
ＡＡＡ
ＢＢＢ
ＣＣＣ
サブドライバＡ、Ｂ、又はＣが故障するか、若しくはストリングのいずれかのエミッタが故障すると、その側面全体で３分の１のライトが消える。しかしながら、実際の配線は以下のように見えるであろう。
ＡＢＣ
ＣＡＢ
ＢＣＡ
ここで１つのドライバサブ回路が故障した場合、ライトのうちの３分の２が残り、デッドスポットがランプ周辺を周回するため、薄暗いスポットのみが存在し、停電は生じない。
【０１２４】
[0211]  好適な配置において並列トレースを使用することができる。基板は、事前に製造したトレースを備えて製造することができる。電気的に効率的な方法で電力をエミッタに得る必要がある時、並列トレースが用いられる。並列トレース手段を使用する利点として、エミッタがすべて完全に同一の電流及び電力レベルで駆動されるという点が挙げられる。これは、従来の設計のほとんどに当てはまらないことである。並列−直列配線の配置のさらに他の利点として、いずれのドライバが使用されるかに関わらず、より効率的となるように、より高い電圧且つより低い電流でライティングを動作させることができるという点が挙げられる。これは、この配置の重要な側面である。さらに多数のチャンネルを有する多チャンネルドライバを使用することができる。１つの特定のモデルでは、６つの基板を３つの異なる方法で配線した。
【０１２５】
[0212]  光分布パターンを図３４〜図４３に示す。図３４は、エミッタの直線行から発光される光分布パターンであり、「ベースライン」又は「事前光角度」と称することもある。全体角度は使用可能な光の約１５０°であるが、フォールオフは円錐状の光の外側縁部のピークの明るさの２０％まで下がる。Ｙ２明るさ角度（その外側が軸強度上のピークのＹ２未満である角度）は、非常に良好なエミッタで約１２０°である（３６０°の円錐で６０°軸から外れる）。行がＰＣＢを表し、列がライトバーを表す時、列に配列されたエミッタ行を使用することにより、実用のために行の間隔は列の間隔より狭いため、列が広がっており、光分布は均一でない。
【０１２６】
[0213]  図３５は、２面デルタ非曲線ＬＥＤ照明から発光される光分布パターンであり、「事後光角度」と称することもある。中央の明るさが遥かに幅広く、ビーム幅が非常に改善されていることが明らかに見てとれる。全体角度は約２３０°であり、使用可能な光の１５０°から増加している。Ｙ２の明るさ角度は、約１２０°から１８０°超まで増えたが、これは従来の単一行のエミッタでは達成できないことであった。
【０１２７】
[0214]  図３６は、４つのライトバーが１又は４行で６インチ離間した前向きエミッタの従来の平坦面から発光される光分布パターンであり、「事前光配列」と称することもある。前向きエミッタのみの行により、「ホットスポット」領域の外側に劇的なフォールオフのある略円形の光のパターン作る。より良いソリューションは、各列における行の多数のコピーを使用に合わせて最適化された角度で互いの間に角度をとらせることにより達成することができる。反射体で跳ね返ったか、又は対象に直接当たる光により、点灯する。広角度エミッタの１行のビームであるかのように２つのビームを１つの平滑且つ連続的なビームに結合するのに最適な角度で２つの行のエミッタの角度をとるライトの断面の例を示す。
【０１２８】
[0215]  図３７は、２面デルタ非曲線ＬＥＤ発光体の４つのライトバーから発光される光分布パターンであり、「事前光配列」と称することもある。デルタＬＥＤライトバーのアレイは、図３７と同様の光分布を有するであろう。これは、光パターンが暗い区域及び明るい区域の少ないより平滑なパターンであることを示す、さらに幅広い光分布である。チューブの周囲を進む時、これと同一の概念を適用する。５面五角形又は６角形の押し出しで完璧な光パターンを達成可能であるが、ここには、２面ＬＥＤライトバーと３面ＬＥＤライトバーを使用した場合の違いを示す。
【０１２９】
[0216]  図３８は、２面屋外サインの照明等、１８０°でエミッタの裏側同士を２平面に配列した従来のセットアップから発光される光分布パターンである。図３９は、デルタすなわち三角形状の３面非曲線ＬＥＤ発光体から発光される光分布パターンであり、前向き面の薄暗い区域を低減し、略反射体に入る２つの暗い区域と直接照明に使用される１つの区域との間の均衡をとるように最適化されている。３行しかないため、完璧に均一な光分布は物理的に不可能であるが、角度を調節することにより、前向きの光を改善することができる。中央からすぐ上に僅かに薄暗い区域が存在するものの、中央から「南東」と「南西」に当たる２つの薄暗い区域で光分布パターンが改善されている。改良型ＬＥＤライトバーは、これらの薄暗い区域からのいずれのアーチファクトもなくすように搭載可能である。４面チューブＬＥＤライトバーを使用する際、光パターンは略均一となる。５面チューブＬＥＤライトバーを使用する際、光パターンは本質的に３６０°均一な光分布を達成する。
【０１３０】
[0217]  図４０は、単一のエミッタから発光される光分布パターンである。図４１は、図４０に示すエミッタのセット又は行から発光される光分布パターンである。図４２は、単一の前向きエミッタから発光される光分布パターンである。図４３は、図４に示す前向きエミッタのセット又は行から発光される光分布パターンである。
【０１３１】
[0218]  図４４は、非曲線ＬＥＤ発光体と、従来のＬＥＤ及び蛍光照明との動作コスト及び資本コストを比較したグラフであり、Ｘ軸は年の単位で時間を表し、Ｙ軸は米ドル（ＵＳＤ）を表す。４８インチの長さのデルタすなわち三角形状のＬＥＤ発光体４８０を備えたライティングバー（ＬＥＤライトバー）を交換する資本コストがグラフに示されており、最低コストとなっている。６５ワットで動作する４８インチの蛍光電球４８２を交換する資本コストはより高い。４８インチの長さで３０００ルーメン（Ｌ）で発光する高効率でデルタすなわち三角形状のＬＥＤ発光体４８４の動作コストがグラフに示されており、最低動作コストとなっている。４８インチの長さで３６００Ｌの照明でより明るい光を発するものの、ＬＥＤ発光体４８４より多くの電力を消費し、同一数のエミッタを使用する高出力でデルタすなわち三角形状のＬＥＤ発光体４８６の動作コストは、高効率ＬＥＤ発光体より僅かに高い。従来の通常のＬＥＤ発光体４８６をグラフに示しており、デルタ三角形状ＬＥＤ発光体４８４及び４８６に比べて動作コストが高い。安定器を備えた既存の４８インチ６５ワット（Ｗ）の蛍光管４８８の動作コストは、デルタ三角形状ＬＥＤ発光体４８４及び４８６より遥かに高価である。新たに搭載した蛍光管４９０を動作させる電気の動作コストは、グラフ上で最も高価となっている。
【０１３２】
[0219]  電力に対する相対的明るさについて言及する時、正確な用語は有効性又は照明有効性であり、ワット当たりのルーメンで表現することができる。ライトバー又はその要素について言及する時の電気効率は、エミッタ自体に送達される電力の大きさに対する、システムに届けられる電力のワットで表現することができる。寿命は、数千時間と表現することができる。通常、蛍光管は８，０００〜１０，０００時間継続するであろう。従来のＬＥＤは、蛍光灯の代替として使用される時と同様に駆動されると、同じ程度継続することができる。高品質ＳＭＤ高出力ＬＥＤは、仕様どおりに駆動される時には約５０，０００時間継続し、低電力で駆動されると７０，０００時間を超えるであろう。本願により開示されるライティングのモデルは、ライトバー自体から略１００％の効率に最適化が可能である。すなわち、ライトバーに届けられるワットのうちの１００％がエミッタに送達される。これは、配線が直接エミッタに続いており、トレースでの電力喪失があまりないからである。これは、エミッタカウントが入力電圧に対して最適化される時、全体のシステム効率において驚異的な利得であり、非常に高効率の電気ドライバを利用することができる。本発明のＬＥＤライトバーにより、従来の効率の４〜５倍の改善を達成することができる。
【０１３３】
[0220]  図４５は、プロトタイプの非曲線ＬＥＤ発光体の模式図である。図４６は、プロトタイプの非曲線ＬＥＤ発光体の上面図である。
【０１３４】
[0221]  図４７は、その他のプロトタイプの非曲線ＬＥＤ発光体の模式図である。図４８は、図４７のＡ−Ａ線に沿ったプロトタイプのデルタ３面非曲線ＬＥＤ発光体の拡大断面図であり、図４９は、図４８のＢ線に沿った非曲線ＬＥＤの底面図である。
【０１３５】
[0222]  図５０は、さらに他のプロトタイプのデルタ３面非曲線ＬＥＤ発光体の拡大断面図である。図５１は、図５０に示すプロトタイプのデルタ３面非曲線ＬＥＤ発光体の部分斜視図である。
【０１３６】
[0223]  図５２は、コンパクトランプ形状用のランプベースにおけるピン配置の斜視図であり、図５３は、２ピンランプ用コンパクトランプベースにおけるピン配置の正面図及び底面図である。図５４は、４ピンランプ用コンパクトランプベースにおけるピン配置の正面図及び底面図である。
【０１３７】
[0224]  図面に示す本発明の好適な実施形態の説明において、明確さのため、特定の専門用語が再分類されている。しかしながら、本発明は選択された特定の用語に限定されるものでなく、各用語には同様の目的を達成するために同様に動作するすべての技術的同等物も含まれるものと理解されなければならない。例えば、「接続される」「取り付けられる」又はその他同様の単語が多く使用されている。これらは、直接接続に限定されるものでなく、他の要素を介した接続も当業者によって同等物であると見なされる場合にはこのような接続も含まれる。
【０１３８】
[0225]  本発明の詳細な説明において述べる非限定的実施形態を参照することにより、本発明と、その種々の特徴及び利点についての詳細をより完全に説明する。本発明は、電気ハウジングと、デバイスフレームワークと、照明が発光ダイオード（ＬＥＤ）によって提供される発光体の軽量発光体本体部とを提供する側面に関連し得る。本発明はまた、熱管理と、ヒートシンクと、電源一体化とに関連の問題に対応することができる。熱動作負荷の管理を改善することにより、よりコンパクトなＬＥＤの配置を達成することができる。
【０１３９】
[0226]  図４７は、発光ダイオード（ＬＥＤ）積層に合わせて改良された既存のライティング装備５１０を示している。ドライバ５０２は、ＬＥＤ電力源のために提供される。シャフト５０３は、ＬＥＤ電源ストリップ５０４に接続される。ＬＥＤ電球５０５は、ＬＥＤ電源ストリップに接続され、電力源ライン５０６はＬＥＤ電源ストリップに接続され、これに電力供給する。
【０１４０】
[0227]  図４５〜５１は、本発明の一実施形態に係る発光ダイオード（ＬＥＤ）発光体５１０を示している。発光体５１０は、基部５１４に対して取り外し可能に協働するよう構築されることが好ましいソケット５１２を備える。基部５１４の特定構築に関わらず、基部は、通常、発光体を受容し、発光体と装備との間の電気的接続を提供する部分として理解される。一実施形態において、ソケット及び基部は、多くの異なる種別の発光体と共通のねじ切りで協働するように構築されている。或いは、ソケット及び基部は、任意の数の対応する嵌合構成で構築することができる。多数のこのような嵌合構成を図５２〜図５４に示す。このような相互作用は、ソケット及び基部の間でねじ切り及び／又はねじりの相互作用の有無を問わず、多数の構成において提供されてもよいと考えられる。
【０１４１】
[0228]  再び図４５及び図４６を参照すると、任意のポスト５１６がソケット及び基部又は支持部５１８の間に延びている。支持部は、ソケットからオフセットした配置で支持することのできる１つ、又は好ましくは多数の個別発光ダイオード（ＬＥＤ）５２０を備える。支持部により、ＬＥＤを大気から隔離できることが好ましく、支持部はレンズ又は発光体の最も外側にある半透明構成を形成することができ、且つ／又は、支持部５１８付近の補充レンズ等、これに非常に近くに位置決めすることができる。
【０１４２】
[0229]  多数の導体又は電気コネクタ５２２及び５２４が電力の授受を行うことができるが、これらは一例としての電源５２６及び／又はソケットに対するスイッチ５２７で示される。導体５２２及び５２４は、任意のポスト５１６を通じて支持部まで延びるものとすることができる。支持部５１８は、支持部周辺に分布し、各ＬＥＤを電源５２６に電気的に接続する多数のワイヤトレースを備えることができる。以下に詳述のとおり、変換器又はドライバ等、１つ以上の電力変換装置がＬＥＤ及び電源の間に配されてもよいと考えられる。ＬＥＤ５２０は、発光体の支持部５１８の略平面形状の両面５２８及び５３０の各々に配置することができる。
【０１４３】
[0230]  図４７に示すとおり、シュラウド又は反射体５３０は、発光体５１０の周辺に配置することができ、支持部の上方に向けられた面５３０に配置されたＬＥＤから発せられた光を、矢印５３４（図４８）で示される略下方方向に再度方向付けることにより、発光体の照明性能を改善することができる。ＬＥＤは、支持部の周囲に均一に分布することが好ましい。
【０１４４】
[0231]  図４７〜図４９を参照すると、発光体の代替構成には、ソケット５１２及び支持部５１８の間で長手方向に延びる略平面状の多面中空支持ポスト５４４が含まれる。図４８に示すとおり、本発明の一実施形態において、支持ポストには、略正三角形を形成する３つの壁部５４６、５４８、及び５５０が含まれる。三角形状を有するものとして図示されているが、支持ポストは、その他の略直線的すなわち略非曲線的な断面形状で提供されるものとすることができる。以下に詳述のとおり、このような構成により、ＬＥＤの支持に利用可能な領域を増やし、発光体の設置面積内に設けられる装置ドライバ等、電力、熱消散、及び動作の制御装置に、これら要素を収容する外部構造を必要とせず、これらの要素の一体化に有利な構成を提供する。図４８に示すとおり、ポスト５４４に囲まれた空洞５５２は、ＬＥＤの電力による動作に関連したドライバ、ヒートシンク、回路基板、電気要素及び／又は熱要素５５６等の電気要素を収容するサイズを有するものとしてもよい。
【０１４５】
[0232]  図５０及び図５１は、本発明の他の実施形態に係る発光体５６０を示している。発光体は、直線的配置すなわち非曲線的配置にも配置し得る多数の面５６４、５６６、及び５６８を備えることのできる長尺本体部５６２を有することができる。発光体５１０と異なり、発光体５６０は、発光体の一端に通常配置されるソケット５７０を備える。多数の個別ＬＥＤ５７２は、発光体の各面５６４、５６６、及び５６８の少なくとも１つ、好ましくは２つ以上の周囲に分布することができる。面５６４、５６６、及び５６８とソケット５７０とに囲まれたスペース５７３は、電源及び／又は電子ドライバ等の電気装備及び／又は熱装備、ヒートシンク及び／又はその他の熱制御構造、及び／又はＬＥＤの動作に関連のコントローラを収容することができる。図５１に示すとおり、その他の実施形態において、多数のＬＥＤ５７２は、発光体５６０の各面５６４、５６６、及び５６８に支持される。このような配置をとることにより、同様のスペース要件を有する従来の発光体に比して、発光体５６０に関連のルーメン出力範囲を広げることができる。ＬＥＤ５７２は発光体５６０のレンズ形成構造上に支持されるものとして示されているが、ＬＥＤは、発光体と略同様の形状を有する内部電力ストリップ又は回路基板上に支持され、面５６４、５６６、及び５６８の内面に近接して配置可能であると考えられる。このようなＬＥＤ支持部は、その組み付けを行う間、発光体の外面に対して長手方向に移転可能とすることができる。ＬＥＤは、発光体の各面がレンズを形成しＬＥＤを大気から隔離するように、各面５６４、５６６、及び５６８に一体化させることができる。
【０１４６】
[0233]  枠組みの形状、ハウジングの構成、及び熱管理の考慮により、既知の従来の発光体より広い表面積上でＬＥＤの交換が可能となる。このＬＥＤの分散配置により、光の消散程度が大きくなり、ルーメン出力が増え、好適な一実施形態においては、ＬＥＤの非円形すなわち直線的配置により、表面の３地点まで個別光源の配置が可能となる。好適な実施形態には、光源に電力供給する電源の選択的な内部配置又は外部配置も可能にする枠組みハウジング及び熱管理チャンネルが含まれる。電源の近接配置に関わらず、発光体は熱消散のためにより多くの熱管理を可能とする。好適な実施形態において、発光体は、三角形すなわちデルタの３面断面形状を有する。ルーメンは、四角形又は実際上任意の数の平面部材を含む任意の数の略非曲線形状を有することができると考えられる。デルタすなわち三角形状で提供される時、ルーメンは、正三角形及び／又は二等辺三角形を含む実際上任意の形状で提供できると考えられる。多数の平面構造により、ルーメンの配置及び位置をさらに多様にし、より多くの光を提供するため、ルーメン搭載領域をさらに広くすることができる。
【０１４７】
[0234]  ルーメン（発光体）のソケットは、図５２〜図５４に示すものを含むがこれに限定されない実際上任意の基部レセプタクルと協働することができると想定される。このような基部には、その他の基部も含まれ、本発明の発光体はいずれの基部構成にも適用可能な形状で提供することができると想定される。発光体は、約１ワット〜約１０００ワット以上の電力使用範囲で動作することができる。発光体は、フルスペクトルのケルビンカラーを提供することができ、最も一般的な電圧である１２ボルト（ｖ）、２４ｖ、１１０ｖ、１２０ｖ、２０８ｖ、２７７ｖ、及び４８０ｖを含むあらゆる電圧で動作することができる。さらに発光体は、約２インチ〜約９６インチ以上の長さ、及びライティング業界で一般的な長さを含む実際上任意の長さで提供することができると考えられる。
【０１４８】
[0235]  本開示の発光体により、匹敵する設置面積を有する従来既知のいずれの発光体よりも、ＬＥＤ光源の表面積を広くすることができる。この発光体構築により、熱管理、ルーメン出力の上昇、及び光の拡張程度の増加を可能にしつつ、電源の内部配置又は外部配置も可能にする。発光体は、好適なプラグとして構成することができ、従来の蛍光型ライティングとの動作に好適となるよう改良されたＬＥＤライティングを提供する。
【０１４９】
[0236]  本発明により、ルーメン出力の上昇及び光分散程度の増加を目的としてＬＥＤ配置の表面積を増やすことができる。これにより、内部又は外部の電源、供給源、コントローラ、接続、及び／又は熱制御装置の提供が可能となる。三角形状により、３地点まで光表面とすることができ、熱管理を行うことにより、動作範囲がより広く、電力管理の改善された発光体を提供することができる。
【０１５０】
[0237]  改良型発光ダイオード（ＬＥＤ）照明アセンブリは、長手方向に両端部を備えたパネルを規定することのできるモジュール基板を備えた複合の、いくつかの、多数の、又は多くの面を有する多面長尺管状アレイを有する非曲線（ＬＥＤ）発光体を備えた、多面ＬＥＤライトバーとも称される多面モジュールＬＥＤライティングバーを備えることができる。この管状アレイは、円形断面構成、長円形断面構成、楕円形断面構成、及び実質的に丸く屈曲した断面構成を伴わない非曲線断面構成（断面）を有することができるのが好ましい。多面管状アレイの各面は、アレイの端部から見て略平面状の平坦面と、互いに交差して傾斜角度で合流する隣接面とを有することができる。ドライバ基板を備えた内部非切替プリント回路基板（ＰＣＢ）ドライバは、動作可能に位置決めされ、多面アレイに接続される。ドライバは、管状アレイの内部に位置決めされた内部すなわち内側のドライバ基板とすることができ、或いは、管状アレイの面の１つを備え、これを提供する外部すなわち外側のドライバ基板とすることができる。面のうちの２つ又はいくつかは、長尺ＬＥＤ  ＰＣＢパネルを提供することのできるモジュールＬＥＤエミッタ基板を備えることが望ましい。ドライバ基板を備えた内部ドライバは、ＬＥＤエミッタ基板を駆動することができ、互いに直列及び／又は並列に接続される１つ以上のモジュールドライバ基板を備えることができる。
【０１５１】
[0238]  非曲線（ＬＥＤ）発光体を提供する多面ライトバーを備えた改良型ＬＥＤ照明アセンブリは、ＬＥＤ照明の改善及び動作効率の向上のための光分布パターンにおけるエミッタ基板から外側に光を発して分布させるため、各エミッタ基板に固定位置決め、搭載、及び配置されたグループ、セット、マトリクス、シリーズ、多数、複数、又はアレイの発光ダイオード（ＬＥＤ）を備えたＬＥＤエミッタの最適カウンタを有することができる。
【０１５２】
[0239]  端部キャップ基板とも称されるコネクタ端部基板を提供する端部キャップＰＣＢコネクタは、管状アレイの端部に位置決めされ、内部ドライバ基板とエミッタ基板とに接続することができる。コネクタ端部基板は、少なくとも１つのライトソケットに係合し、電力接続を提供するため、長手方向外側に延びるものとすることのできる電源コネクタピンを有することができる。端部キャップは、端部キャップＰＣＢコネクタの周囲に位置決めすることができる。端部キャップは、エミッタ基板に対して当接係合、把持、及び締め付けを行うため、長手方向内側に延びるものとすることのできるクランプを提供可能なブラケットセグメントを有することができる。
【０１５３】
[0240]  エミッタ基板及びドライバ基板を備えた基板は、略矩形のモジュール型とすることができる。エミッタ基板を備えた多面アレイの各面は、単一のエミッタ基板を備えることができ、或いは、端部同士を長手方向に接続した、セット、シリーズ、複数、数多く、又は多数の長尺エミッタ基板を備えることができる。エミッタ基板を備えた面は、管状アレイのすべての面、又は管状アレイの面のうちの１つを除くすべての面を備えることができ、残りの１つの面がドライバ基板を備えるものとすることができる。ドライバ基板は、単一のドライバ基板を備えるものとすることができ、又は端部同士を長手方向に接続した多数のドライバ基板を備えるものとすることができる。基板は、コネクタ端部基板上のコネクタが、ドライバ基板及び／又はエミッタ基板上の嵌合係合可能な雌コネクタ及び雄コネクタに嵌合係合、接続、及び挿入されるように、嵌合係合可能な雄コネクタ及び雌コネクタを有することができる。
【０１５４】
[0241]  金属多面を備えた多面管状ヒートシンクは、支持を行い、エミッタ基板及びドライバ基板から発生した熱を消散させるため、多面管状アレイの径方向内側に位置決めすることができる。ヒートシンクは、多面管状アレイの断面構成に対して略補完的又は略同様の管状断面を有することができる。ヒートシンクの断面は、円形断面、長円形断面、楕円形断面、及び実質的に屈曲した丸い断面を伴わない非曲線断面であることが好ましい。
【０１５５】
[0242]  非曲線（ＬＥＤ）発光体を提供する多面ライトバーを備えた改良型ＬＥＤ照明アセンブリは、ＬＥＤエミッタを並列及び直列に接続するため、エミッタトレースを有することができ、交流電流（ＡＣ）ライン及び／又は直流（ＤＣ）ラインを有することができる。エミッタは、略均一等分に離間配列されたＬＥＤエミッタを少なくとも１行備えることができる。多面ライトバーは、電気ワイヤを伴わない無ワイヤ設計を提供することが望ましい。
【０１５６】
[0243]  非曲線（ＬＥＤ）発光体を提供する多面ライトバーを備えた改良型ＬＥＤ照明アセンブリは、ＬＥＤエミッタから発せられた光を反射、拡散、及び／又は集光するため、ＬＥＤエミッタの周囲に位置決められ、ＬＥＤエミッタを被覆することのできる透光性レンズを提供可能な長尺光拡散器カバーを備えた拡散器も有することができる。
【０１５７】
[0244]  一実施形態において、ライティングバーは２面モジュールＬＥＤライティングバーを備え、アレイは２面アレイを備え、ヒートシンクは少なくとも２面を備えたヒートシンクを備え、エミッタ基板は１８０°未満〜０°超の範囲の傾斜角度で略Ｖ字型構成に配置され、ドライバはＶ字型構成の開放端部の付近に位置決められる。
【０１５８】
[0245]  他の一実施形態において、ライティングバーは３面モジュールＬＥＤライティングバーを備え、アレイはデルタすなわち三角形状の３面アレイを備え、ヒートシンクはデルタすなわち三角形状の断面を備えた管状３面ヒートシンクを備え、傾斜角度は１８０°未満〜０°超の範囲とすることができ、１２０°であることが好ましい。ドライバは、３面ヒートシンクのデルタすなわち三角形状の断面の内部に位置決めることができる。
【０１５９】
[0246]  さらに他の一実施形態において、ライティングバーは４面モジュールＬＥＤライティングバーを備え、アレイは四角形すなわち矩形アレイを備え、ヒートシンクは四角形すなわち矩形の断面を備えた管状４面ヒートシンクを備え、傾斜角は約９０°の直角とすることができる。
【０１６０】
[0247]  さらに他の一実施形態において、ライティングバーは５面モジュールＬＥＤライティングバーを備え、アレイは五角形アレイを備え、ヒートシンクは五角形断面を備えた管状５面ヒートシンクを備え、五角形の交差面の傾斜角度は、約７２°等の鋭角を備えるものとすることができる。
【０１６１】
[0248]  ５面を超える面を備えた多面ＬＥＤライトバー、アレイ、及びヒートシンクを使用することもできる。
【０１６２】
[0249]  改良型ＬＥＤ照明アセンブリは、屋外サイン又は屋内サイン等、照明ＬＥＤサインを備えることができる。屋外サインは、ドライブスルーレストラン等で使用される屋外メニューボードを備えるものとすることができる。屋内サインは、屋内レストラン等で使用される屋内メニューボードを備えるものとすることができる。ＬＥＤサインは、ディスプレイ及びその他の用途のためにも提供可能である。照明ＬＥＤサインは、ライトソケットを備えたハウジングと、ハウジングに接続された照明ウィンドウを提供する少なくとも１つの透光性パネルと、上述の種別の多面ライトバーとも称され、照明ウィンドウを通じて発光するためにライトソケットに接続可能な多面モジュールＬＥＤライティングバーと、ＬＥＤライティングバーへのアクセスのため、閉鎖位置から開放位置へと移動可能な照明ウィンドウとを備えることができる。ライティングバーは、ハウジングの一部に沿って垂直、水平、長手方向、横断方向、又は横方向に延びるものとすることができる。照明ウィンドウは、拡散器によって被覆されるものとすることができる。
【０１６３】
[0250]  改良型ＬＥＤ照明アセンブリはまた、透光性天井タイルを備えた半透明天板と、ライトソケットを備えた少なくとも１つのドロップ天井ライト装備と、ライトソケットに接続され、半透明天板を通じて略下方方向に発光し、光を床又は室内に発散するために天板の上方に位置決められた、上述の種の少なくとも１つの多面モジュールＬＥＤライティングバー（多面ライトバー）とにより、オーバーヘッド天井ライトを提供するオーバーヘッドＬＥＤライティングアセンブリを備えるものとすることもできる。１つ以上の凹状光反射体を、半透明天板を通じて室内に向かって下方方向に光を反射するため、ＬＥＤライティングバーの上方に位置決めすることができる。
【０１６４】
[0251]  非曲線ＬＥＤ発光体を備えた多面ＬＥＤライトバーの設けられる発光ダイオード（ＬＥＤ）照明アセンブリには以下のような多くの利点がある。
１．優良な製品
２．卓越した性能
３．素晴らしい照明
４．改良されたＬＥＤライティング
５．破断及び衝撃に対する優れた耐性
６．長寿命
７．ユーザフレンドリー
８．信頼性
９．手軽な可搬性
１０．軽量
１１．携帯性
１２．便利
１３．使用と搭載の容易さ
１４．ライトバーの交換所要時間の短縮
１５．耐久性
１６．経済性
１７．魅力的
１８．安全
１９．効率的
２０．効果的
【０１６５】
[0252]  従来のＬＥＤライティングに比して、非曲線ＬＥＤ発光体を備えた新規の多面ＬＥＤライティングバーを有する本発明のＬＥＤ照明アセンブリはその他にも多くの利点を有する。
【０１６６】
[0253]  １．多面ライトバーを使用することにより、光の分布を遥かに幅広くすることができる。標準のソリューションでは、半分の明るさに対して約１００〜１１０°の光線となる。しかしながら、新規の多面ＬＥＤライティングバーを備えた本発明のＬＥＤ照明アセンブリは、ほとんど、又は全く明るさを喪失することなく、全３６０°を達成することができる。さらに図示の２面設計では、半分の明るさに対して１８０°超を達成することができる。他の利点として、近傍での使用が挙げられ、光源からたった数インチの距離にある対象をライティングする。
【０１６７】
[0254]  ２．多面ライティングバーを備えた改良型ＬＥＤ照明アセンブリの内部ドライバは、従来のライティングに比べて、安価であり、労働が少なく、より簡易であり、故障が少ない。
【０１６８】
[0255]  ３．多面ライティングバーを備えた改良型ＬＥＤ照明アセンブリの非切替ドライバは、４７倍のスケールで効率を上げるものである。従来のＬＥＤライティングバーに使用される通常の切替ドライバは、通常、８０〜８５％の効率を有し、１５〜２０％の喪失がある。一方、多面ライティングバーを備えた改良型ＬＥＤ照明アセンブリは、９５〜９７％の効率（３〜５％の喪失）を有することができ、従来のライティングより４〜７倍効率的であり、この改善の結果として、全体で約２０％の効率利得がもたらされる。多面ライティングバーを備えた改良型ＬＥＤ照明アセンブリは、従来の切替ドライバでは実際上不可能であった９０％を超える効率を達成できることが望ましい。
【０１６９】
[0256]  多面ライティングバーを備えた改良型ＬＥＤ照明アセンブリは、電圧源に対してエミッタカウントを最適化することができることが望ましく、適切な数のエミッタの配線を並列−直列配置で有利に利用することができる。
【０１７０】
[0257]  新規の多面ライティングバーを備えた改良型ＬＥＤ照明アセンブリでは、レンズを備えた拡散器が光線の出力を変更するよう修正可能である。この配置を使用することにより、暗い箇所をなくすことができ、遥かに高い照明出力を得ることができる。一例としての多面ライティングバーを備えた改良型ＬＥＤ照明アセンブリは、視認可能なホットスポット又はコールドスポットを生じることなく、３６０°の光線を発光可能である。新規の配置及び設計の長さには理論的制限がないため、多面ライティングバーを備えた改良型ＬＥＤ照明アセンブリは、拡張可能な長さを有することもできる。しかしながら、顧客のニーズ、コスト、利用可能なスペース、及び生産能力により、実際の長さは制限されることもある。
【０１７１】
[0258]  多面ライティングバーを備えた改良型ＬＥＤ照明アセンブリは、さらに信頼性を向上させるため、多数の並列ドライバサブ回路を使用し、ドライバの冗長性を有することができる。これにより、他の２つの重要な目標を達成することができる。
【０１７２】
[0259]  １．多面ライティングバーを備えた改良型ＬＥＤ照明アセンブリは、すべてのエミッタに対して均一均等で正確な電力レベルを得ることができる。一方で従来のＬＥＤ設計は、すべてのエミッタに対する電流を均一に制御するものでなく、通常３つ〜８つのすべての並列回路に計測した量の電流を印加し、サブ回路毎の制御が行われないため、電流が並列回路毎に異なり得た。多面ライティングバーを備えた改良型ＬＥＤ照明アセンブリは、ライトアセンブリ全体のすべてのエミッタが全く同一の電流を得るように、各サブ回路を独立して制御することができる。
【０１７３】
[0260]  ２．多面ライティングバーを備えた改良型ＬＥＤ照明アセンブリは、通常動作条件下において、またサブ回路が故障した場合にも信頼性の高い出力を達成する。
【０１７４】
[0261]  ３つの分岐、すなわちサブ回路に対する出力が３００ｍＡである従来のＬＥＤ設計では、１つの分岐が故障すると、２つのサブ回路が同一の３００ｍＡを分け合うこととなり、１００ｍＡ〜１５０ｍＡとなるため、電流が大きく変化してしまって望ましくなく、カスケードの故障を生じる可能性がある。多面ライティングバーを備えた改良型ＬＥＤ照明アセンブリでは、１つのサブ回路が故障すると、残りの回路は故障前と全く同様に動作する。
【０１７５】
[0262]  さらに、多面ライティングバーを備えた改良型ＬＥＤ照明アセンブリでは、ライトアセンブリの１箇所でも完全に暗くなってしまうことなく、薄暗くなるように、サブ回路を分散させることができる。このことは、サインのライトアップの際に非常に重要となり、１箇所が少し暗くなったとしても、サインが依然として明るく照明され、読み取ることができるようにする。
【０１７６】
[0263]  従来のＬＥＤ照明では、通常、すべてのエミッタが互いに直列となるため、単一のＬＥＤの故障により、その行全体が次第に消えてしまい、ライトアセンブリの全体が暗くなる。多面ライティングバーを備えた改良型ＬＥＤ照明アセンブリでは、エミッタのストリング又はセットが互いに他のエミッタと並列に配列及び接続されており、１つのサブ回路が故障した際、ＬＥＤ照明アセンブリのＬＥＤランプが５０％の明るさとなるものの、縁部から縁部まで均等に点灯する。
【０１７７】
[0264]  多面ライティングバーを備えた改良型ＬＥＤ照明アセンブリは、初期段階の資本コストを超える効率も達成する。従来のＬＥＤ設計は、エミッタ毎のルーメンを最大化するよう試み、エミッタの仕様（「スペック」）に合わせて設計される。「スペックで」動作するエミッタは、計約８０ルーメン／ワットを得る傾向にある。
【０１７８】
[0265]  多面ライティングバーを備えた改良型ＬＥＤ照明アセンブリは、いくつかの非常に価値のある目標を達成するため、特異的に低電力駆動される。
【０１７９】
[0266]  １．長寿命
例えば、７０％の定格出力で動作するエミッタは、５０，０００時間の仕様である時、７０，０００〜８０，０００時間継続する。１日２４時間、１週間７日動作した場合、５．７年に対して８．６年の違いである。
【０１８０】
[0267]  ２．有効性の高さ
多面ライティングバーを備えた改良型ＬＥＤ照明アセンブリは、エミッタの電流駆動を下方調整することにより、合計で１００Ｌ／Ｗシステムを超えることができる。多面ライティングバーを備えた改良型ＬＥＤ照明アセンブリは、より多くのエミッタを加えることにより、同一の合計出力を達成することができる。これにより初期段階のコストは高くなるが、動作コストは遥かに下がる。これは、ＬＥＤがより低いスペックで駆動されるとより効率が高く長く継続するため、高出力３６００Ｌ  ＬＥＤライトバーを全く同一の設計でありながら異なる駆動動作レベルに設定した高効率３０００Ｌ  ＬＥＤライトバーと比較した図示の動作コストチャートに示されている。
【０１８１】
[0268]  ３．信頼性の高さ
期待される寿命において、ＬＥＤエミッタは、温度がＬＥＤ駆動電流と正比例する場合、エミッタが低温であるほどルーメンをより長く維持し、色温度をより長く維持する。高出力駆動されたＬＥＤは、「スペック」で駆動されたものに比べて早く色温度の正確さを失う。低出力駆動されたＬＥＤは、「スペック」で駆動されたものに比べてルーメン及び色温度をより長く維持することができる。
【０１８２】
[0269]  改良型ＬＥＤ照明アセンブリは、改良型ＬＥＤ発光アセンブリの新規のライトバーが電気ワイヤを有することがないよう、無ワイヤ設計とすることができる。この配置により、組み付け時間と、組み付けの手動部分の複雑さに関連の問題及び故障率を低減することができる。従来のＬＥＤライトバーは、１２以上の手作業半田接合を有し得る。新規の本発明によるライトバー設計は、電気配線を１００％なくすのと同時に、手作業半田接合を２つのみに抑えることができる。標準電気ワイヤをなくすことにより、初期段階及び長期に亘る信頼性と出費を向上することができる。
【０１８３】
[0270]  上述の実施形態では、正しい電気極性のＤＣ電力供給を使用するＬＥＤを駆動するため、ＡＣをＤＣに変換する回路を含むドライバ基板を使用する。ドライバ基板は、管状ＬＥＤライティングアセンブリの全体要素のコスト、組み付けコスト、及び設計コストを追加し、組み付けの際に追加のスペースを必要とする。１５％以上の範囲の電力喪失は、通常、ＡＣからＤＣへの変換の際に生じる。ＡＣをパルス化ＤＣに変換する整流器や信号を一定のＤＣ電圧に平滑化するフィルタ等のドライバ要素は、管状ＬＥＤライティングアセンブリにおいてより長く継続する他の要素に比して高い故障率を有する。信頼性の高い要素を使用することが重要であるが、相当なコストが追加されたり、設計が複雑になったりすることもある。
【０１８４】
[0271]  ＬＥＤベース固体ライティングにより、有効電力消費を劇的に低減することで、送電網の二酸化炭素排出量を著しく減少する機会を与える。しかしながら、力率が管理されなければ、送電網は依然として負荷において実際に必要とされるより遥かに高レベルの電力を提供できることが必要となり、固体ライティングに移行する利益の多くがなくなってしまう。力率は、皮相電力に対する有効電力の無単位の割合である。有効電力は、キロワット（ｋＷ）で測定される負荷に使用される電力である。皮相電力は、送電網がシステム負荷に供給するボルト−アンペア（ＶＡ）の単位の測定電力である。高度なリアクティブシステムにおいて、電流及び電圧は、ともに角度量であり、互いに非常に非同調的である。このため、送電網は、随時、実際の有効電力を供給できるよう、遥かに大きな無効電力を供給する必要が出てくる。白熱電球は、歴史的に非常に高い力率を有してきた。ＬＥＤは、そのドライバが有するような非線形インピーダンスを有するため、力率が本質的に低くなる。これに対抗するため、ドライバは、通常、１にできる限り近づけるよう、その比率を増加させる力率補正回路を有する。しかしながら、上述のとおり、ＡＣ電流からＤＣ電流に変換する際、通常、依然として相当な電力が喪失され、結果として理想的な力率の比率に満たない。
【０１８５】
[0272]  ＬＥＤは、ダイオードであるが、単一方向のみに電流を導通する。しかしながら、ＡＣ駆動ＬＥＤは、ＤＣソリューションの代替としても利用可能である。ＡＣ  ＬＥＤは、ＡＣ−ＤＣドライバ回路を必要としない。ＡＣ  ＬＥＤ技術によると、ＬＥＤはＡＣ電源に直接接続されるか、又は限定抵抗回路を介して接続される。逆バイアスを防ぐため、整流器ダイオードを使用してもよい。駆動源としてＡＣを使用すると、ＬＥＤは５０％の時間しか照明しない。しかしながら、この顕著な作用は回路設計を通じて最小化することができる。通常の照明の場合、ＡＣ  ＬＥＤ技術により、場合によって、製造又は審美性を向上する因子をより簡易化することができ、変換器及びドライバ要素をなくすことのできる利益があり、ＡＣ  ＬＥＤはさらに、ランプを薄暗くさせ、白熱光又はその他の色の光を模倣して薄暗くなるように、ランプのスペクトルを切り替えることもできる。ＡＣ  ＬＥＤを使用したライティングにより、ＤＣ  ＬＥＤドライバ回路に関連の電力喪失を回避することができるため、より高い力率を達成することもできる。
【０１８６】
[0273]  ＡＣ  ＬＥＤ技術は、街路灯及び従来のねじ込み式電球等、いくつかのライティングの適用例において展開されてきた。ＡＣ  ＬＥＤ技術の潜在的利点にも関わらず、管状ＬＥＤライティングアセンブリは、伝統的に、ＤＣ  ＬＥＤにのみ展開されてきており、出願人は、ＡＣ  ＬＥＤを使用したこのような管状ＬＥＤライティングアセンブリを知らない。管状ライティングの適用に関連する課題の１つに、光分布パターンの光量及び整合性が非常に重要であるという点が挙げられる。従来のＬＥＤ管状ランプは、円筒形管状拡散器レンズ内の同一平面に配向された１つ以上のＬＥＤエミッタパネルを利用しており、通常、高いパーセンテージのＬＥＤ電力定格で動作しており、光分布パターンを改善するため、面に向かう光の最終的光量と余剰分とに依存している。ＡＣ  ＬＥＤは、より高い電力レベルで駆動されるとより低い効率で動作するが、これは、最適な光量及び分布性能の高効率管状ランプの妨げとなることを表している。
【０１８７】
[0274]  しかしながら、本発明は、照明源としてＡＣ電源方式ＬＥＤを利用する管状ライティング形態を提供することにより、ドライバ回路をなくし、ＡＣ  ＬＥＤ技術に関連の他の利点を提供することに適合しており、特に交差面に配向された多数のＬＥＤエミッタ基板で形成された多面発光体を採用した実施形態では、より多くのＬＥＤを提供することができ、発光された光をより幅広い角度に向けることができる。従ってＡＣ  ＬＥＤは、これらの実施形態で展開することができ、依然として相当な光量と、広い領域に亘って整合的な光分布パターンとを達成しつつ、より低くより効率の高い電力レベルで動作することができる。以下詳述のとおり、ドライバ回路をなくすことにより、より低い外形のヒートシンク上に配置され、屈曲した拡散器カバーからより遠くに離間した単一のＡＣ  ＬＥＤエミッタパネルを使用する実施形態等、その他の形態で、ＬＥＤから放射されたより広角度の光を捕らえ、その光を均一且つ整合的に分配することが可能となる。
【０１８８】
[0275]  ＡＣ  ＬＥＤ技術を採用した本発明の実施形態では、ＡＣ電圧からＤＣ電圧への変換に関連の電力喪失をなくし、ＤＣ  ＬＥＤ設計に比べてより高い力率を達成することができる。本発明のこれらの実施形態は、製造及び／又は審美性を改善するための因子について、より簡易な、複雑度の低い設計で提供することができ、故障の可能性のある要素の数を減らしたことで、潜在的により信頼性が高く、継続期間が長くなる。これは、従来のチューブライティングに比較して固体ＬＥＤライティングの初期費用が高いことを相殺するよう、より寿命の長い電球を求める顧客にとって大きな利点となる。これらの実施形態はさらに、薄暗くする制御を可能にし、白熱光又はその他の色の光を模倣して薄暗くなるように、ランプのスペクトルを切り替えることができるようになる。
【０１８９】
[0276]  図５５〜図６１を参照すると、従来の一形態による長尺管状ライティングアセンブリが６００として示されている。ライティングアセンブリ６００は、長尺本体部６０２を備え、その上又は内部に照明源６０４が設けられている。照明源６０４は、ＬＥＤを利用する照明源、可視光の生成に蛍光を使用するガス放電ランプ等、既存のすべての照明源を一般的に表した模式形態で示されている。
【０１９０】
[0277]  本体部６０２は、本体部６０２の第１長さ方向端部及び第２長さ方向端部にそれぞれ設けられた第１端部コネクタ６０６及び第２端部コネクタ６０８を有する。端部コネクタ６０６及び６０８は、各々、照明源６０４によって生成されて方向付けられた光を制御分散させる反射体を規定してもよい支持部６１４に搭載されたコネクタ６１０及び６１２と機械的及び電気的に相互接続される。コネクタ６０６及び６１０と６０８及び６１２の相互作用は略同一であるため、本明細書中での説明は、１つのチューブ端部が機械的に支持されて照明源６０４が電源６１６に電気的に接続される一例としてのコネクタ６０６及び６１０の相互作用に限定する。
【０１９１】
[0278]  コネクタ６０６は、は略同一に構築され、本体部の軸６２２に対して直径方向反対側の位置からカンチレバー式に突出する、個別の電力リードピン６１８及び６２０を備えたバイピン／２ピン配置を有する。
【０１９２】
[0279]  コネクタ６１０は、通常、その形状が墓石に類似しているため、従来、当分野では「トゥームストーン」コネクタと称されたものである。コネクタ６１０は、「トゥームストーン」形状部６２６の従属する搭載部６２４を有する。搭載部６２４は、支持部６１４から鋳造された一対のタブ６２８及び６３０に規定されるレールに沿ってその動作位置に摺動するよう設計される。コネクタ６１０は、支持部６１４に永久的に固定されるか、又は解除可能に固定されてもよい。
【０１９３】
[0280]  従属コネクタ部６２６は、間にスロット６３６を規定する略平行の離間関係に突出した一対の非導電性タブ６３２及び６３４を有する。本明細書中、管状ライティングアセンブリ６００は、本体部６０２の軸６２２が略水平な配向きとして説明する。この配置では、スロット６３６は、略垂直な線上に延びる。タブ６３２及び６３４は、レセプタクル６３８内にタブ６３２及び６３４を包囲する環状経路６４０が存在するよう、カップ状レセプタクル６３８の基部から突出する。底部開口６４２は、ピン６１８及び６２０を導入するために規定される。
【０１９４】
[0281]  コネクタ６０６を動作可能に位置決めするため、本体部６０２は、電源リード／ピン６１８及び６２０の軸が同一の垂直面に設けられるように角度配向される。本体部６０２がこのように配向されることにより、ピン６１８及び６２０が環状経路６４０の直径方向反対側の領域に設けられるように、ピン６１８は、リードピン６１８がスロット６３６に向かって且つこれを通って進行するよう、開口６４２を通じて交互に方向付けられ得る。そして本体部６０２をその軸周りに９０°回転させることにより、ピン６１８は、タブ６３４とレセプタクル６３８内の第１導電性要素６４４との間に割り込まされる。ピン６２０は、同様に、タブ６３２と、レセプタクル６３８内の第１導電性要素６４４と直径方向略反対側の第２導電性要素６４６との間に割り込む。導電性要素６４４及び６４６を通じて、ピン６１８及び６２０は照明源６０４及び電源６１６の間に電気的接続を成立させる。電気回路は、同一のバイピン配置を有してピン６１８及び６２０がコネクタ６１０と協働するのと同様にコネクタ６１２と協働するコネクタ６０８上の電源リード／ピン６１８’及び６２０’によって完成される。
【０１９５】
[0282]  本体部６０２の搭載には、端部のコネクタ６０６及び６０８と協働するコネクタ６１０及び６１２との間で動きを制御することが必要となる。ピン６１８、６２０、６１８’、及び６２０’がすべて整合的に配列されず、適切に移動されない場合、照明源６０４の電気的接続は成立しないこともあり、組み付けプロセス中、ピン６１８、６２０、６１８’、及び６２０’が不適正に配列及び移動されることによっても、ピン６１８、６２０、６１８’、及び６２０’のうちの１つ以上が適切に設置されない結果に繋がることもある。本体部６０２の機械的接続の一体性は、ピン６１８、６２０、６１８’、及び６２０’を安定的に固定することにかかっているため、ピンを適正に設置しないと、本体部６０２がうっかり解放されてしまうことがあり、損傷又は破壊を招くことがある。
【０１９６】
[0283]  本体部６０２の搭載が不便であるだけでなく、本体部６０２は、適正な搭載の後でさえも依然として解放され易いことがある。図５８及び図５９に示すとおり、コネクタ６１０及び６１２は、全体的に依存的に構築されるため、矢印６４８及び６５０で示すとおり、互いから離間して反対方向に屈折しやすい。コネクタ６１０及び６１２の底部領域での僅かな屈折は、コネクタ６１０及び６１２の一方又は双方から電源リード／ピン６１８、６２０、６１８’、及び６２０’を解放するのに十分である。このような屈折は、本体部６０２の重量のみにより生じることがある。
【０１９７】
[0284]  さらに、本体部６０２の搭載及び取り外しの間など、コネクタ６１０及び６１２に繰り返し力が加わると、支持部６１４は、通常、軽量のシート金属であるが、コネクタ６１０及び６１２が接合された箇所で次第に変形してしまうことがある。
【０１９８】
[0285]  さらに、コネクタ６１０及び６１２は、本体部６０２の搭載及び交換の間に通常の力が加えられると、互いから離間して摺動することがある。このような設計は、組み付け中にコネクタ６１０及び６１２の摺動を必要とするものであるが、この問題を特に生じやすい。すなわち、コネクタ６１０及び６１２の一方又は双方は、ピン６１８、６２０、６１８’、及び６２０’の自由端部が強固に、且つ、確実に支持されない程度にその搭載方向に対して反対側に移動することがある。重大なことに、搭載中又は搭載後に本体部６０２をうっかり解放してしまう程度のコネクタ６１０及び６１２の僅かな移動又はその屈折を確実に遮断する手段はない。
【０１９９】
[0286]  本発明に係る長尺環状ライティングアセンブリの好適な一形態を図６２〜７８に６５４として示す。図７８は、管状ライティングアセンブリ６５４の基本要素を模式的に示しており、図６２〜図７７に示す特定の設計と、当業者にとって本明細書の開示により明らかとなる潜在的に非限定的なその変形例のいくつかとを網羅している。
【０２００】
[0287]  図７８に示すとおり、管状ライティングアセンブリ６５４は、第１端部６５８及び第２端部６６０の間に長さを備えた本体部６５６を有する。照明源６６２は、本体部６５６の上又は内部に設けられる。
【０２０１】
[0288]  照明源６６２は、略管状形状で設けられ、可視光を生成可能ないずれかの構造とすることができる。図６２〜図７７に示す特定の実施形態ではＬＥＤを利用しているが、本発明は、本体部が動作可能な状態に支持され、離間した端部間に略長尺管状の本体部形状を有するいずれの種のライティングアセンブリの構築にも同一の原則を使用することを想定するものである。一例として、照明源は、可視光の生成に蛍光を使用し、その端部に従来のバイピン／２ピンリードを備えたガス放電ランプであってもよい。その他の設計も単独又は組み合わせで想定される。
【０２０２】
[0289]  本体部６５６の第１端部６５８に設けられた第１コネクタ６６４は、第１コネクタ部分６６６及び第２コネクタ部分６６８を備える。第２コネクタ６７０は、本体部６５６の第２端部６６０に設けられ、第３コネクタ部分６７２及び第４コネクタ部分６７４を備える。第１コネクタ６６４及び第２コネクタ６７０は、本体部６５６を反射体又はその他の形態に構成されてもよい支持部６７６上において動作可能な状態に維持する。第１コネクタ部分６６４は、本体部の第１端部６５８に設けられた第１端部キャップアセンブリ６７８の一部である。第２コネクタ部分６６８は、支持部／反射体６７６上に設けられる。第３コネクタ部分６７２は、本体部６５６の第２端部６６０に設けられ、第４コネクタ部分６７４は、支持部／反射体６７６上に設けられる。照明源６６２は、第１コネクタ６６４を介して電源６８０に電気的に接続される。
【０２０３】
[0290]  さて図６２〜図７７を参照し、図７８に一般的に示された長尺管状ライティングアセンブリ６５４の一例としての形態の詳細を説明する。本体部６５６は、図１５及び１６に示した上述の照明アセンブリ／発光体の基本要素を有する。通常、この構築は、ヒートシンク２９７上に略「Ｖ字」型に位置決めされた２つのＬＥＤエミッタパネル２９３を備えるデルタ又は３角形状の３面金属ヒートシンク２９７を備える。各ＬＥＤエミッタ基板／パネル２９３は、本体部６５６の端部６５８及び６６０間の長さに沿って略等間隔に離間した複数のＬＥＤエミッタ２９８を有する。ＬＥＤエミッタパネル２９３は、図７８に示された照明源６６２の光源を提供する。各ＬＥＤエミッタパネル２９３は、エミッタパネル２９３の両端から長さ方向に突出した導電性要素６８２の形態の端子３０２を有する。
【０２０４】
[0291]  上述のとおり、第１コネクタ６６４は、本体部６５６の第１端部６５８に設けられ、第２コネクタ６７０は、本体部６５６の第２端部６６０に設けられる。第１コネクタ６６４は、第１端部キャップアセンブリ６７８の一部である第１コネクタ部分６６６と、第２コネクタ部分６６８とを備える。第１端部キャップアセンブリ６７８は、本体部６５６に向かって開口し、本体部の第１端部６５８が内部に向かって延びる第１レセプタクル６８６を規定する第１カップ状要素６８４を備える。
【０２０５】
[0292]  レセプタクル６８６は、第２コネクタ部分６６８内に延びて、基板６８８及び６９０と電源６８０との間に電気的接続を成立させるワイヤ内でコネクタ要素６９４及び６９６と協働するＬ字型電気コネクタ要素６９２を上部に有する別の基板６９０を覆う端部コネクタ基板６８８を受容する。
【０２０６】
[0293]  本実施形態において、第１コネクタ部分６６６は、レセプタクル６８６内から突出した３つの同様の搭載支柱６９８を有する。支柱６９８は、基板６９０の一方側７０２に対して同時にもたれかかる肩部７００を作るため、段差のある直径を有する。その反対側７０４は、コネクタ基板６８８上の面７０６に対向係合し、確実にこれを支持する。
【０２０７】
[0294]  エミッタパネル端子３０２上の導電性要素６８２は、圧入動作で端子３２４上の導電性要素７０８に対して電気的に接続するよう設計される。より具体的には、照明源６６２とコネクタ基板６８８及び６９０は、本体部６５６の第１端部６５８と第１端部キャップアセンブリ６７８が本体部６５６の長さに略平行な方向において互いに向かって移動する事象として、電気的に接続される。これが発生すると、本体部６５６の第１端部６５８は、レセプタクル６８６内に向かって延びることにより、本体部６５６の第１端部６５８と第１端部キャップアセンブリ６７８を機械的且つ電気的に接続された関係に配置する。
【０２０８】
[0295]  図７０ａに模式的に示すとおり、単一の基板６９７を別の基板６８８及び６９０の代わりに、機能を組み合わせて実施するよう使用してもよい。図７２に示すとおり、同一又は同様のコネクタ要素６９２を基板６９７に機械的及び電気的に接続して、コネクタ要素６９４及び６９６から、キャップ基板端子３２４又は同様の端子が設けられた基板６９７までの電気経路を設けてもよい。キャップ基板端子３２４は、上述のとおり、エミッタ基板端子３０２と協働する。
【０２０９】
[0296]  図７８に示すとおり、第１コネクタ部分６６６は、第１面７１０を有し、第２コネクタ部分６６８は、協働する第２面７１２を有する。第１コネクタ部分６６６及び第２コネクタ部分６６８は、第１面７１０及び第２面７１２が対向関係に配置されることにより、本体部６５６の動作可能状態において第１コネクタ部分６６６及び第２コネクタ部分６６８が離間することを防ぐように構成される。この関係は、第１コネクタ部分６６６が第２コネクタ部分６６８に対して初期段階で第２コネクタ部分６６８から完全に離間した位置から本体部６５６の長さを横断する経路で係合位置に移動する事象として作用する。図７８に一般的に示す構造は、コネクタ部分６６６及び６６８を接合する際に同一の構造的方針を達成することのできる広範囲の異なる構造を含むことを意図するものである。一般的な図示により、第１コネクタ部分６６６及び第２コネクタ部分６６８は、第１コネクタ部分が係合位置に向かって移動する際、第１コネクタ部分６６６が第２コネクタ部分６６８の反対側に移動することにより、第１コネクタ部分６６６及び第２コネクタ部分６６８のうちの少なくとも一方の一部が第１面７１０及び第２面７１２を対向関係に配置させるよう再構築されるように構成されることを想定するものである。
【０２１０】
[0297]  以下、図６２〜図７７に示す一例としての実施形態を中心に詳細な説明を行う。前述のとおり、本実施形態は、第１コネクタ部分６６６及び第２コネクタ部分６６８の構成を含み、図７８に模式的に示した種々の要素について想定される多数の異なる形態のうちの１つのみを例示として示したものである。
【０２１１】
[0298]  図７４において、第１コネクタ部分６６６は、第２コネクタ部分６６８から完全に離間して示されている。図７５において、第１コネクタ部分６６６は、第２コネクタ部分６６８に対して、矢印７１４で示すとおり、本体部６５６の長さを横断する略直線状の経路において完全離間位置から係合位置に移動した様子が示されている。
【０２１２】
[0299]  この相互作用を可能にするため、第１コネクタ部分６６６は、縁部７１８に囲まれた開口７１６を有する。第２コネクタ部分６６８は、第１屈曲可能部分７２０を有する。第２コネクタ部分６６８は、第１コネクタ部分６６６が係合位置に向かって係合位置まで移動する際に、第１屈曲可能部分７２０が開口７１６の縁部７１８に係合され、図７４及び図７５に実線で示す保持位置から図７４及び図７５の各々に点線で示す組み付け位置へと次第にカム動作させられるよう構成される。第１部分が係合位置までくると、第１屈曲可能部分７２０は、組み付け位置から保持位置に向かって戻る。
【０２１３】
[0300]  本実施形態において、第１コネクタ部分６６６は、開口７１６の形成される壁部７２２を有する。第１面７１０は、この壁部７２２の内面の一部である。第２面７１２は、屈曲可能部分７２０上のボス７２４によって規定される。
【０２１４】
[0301]  壁部７２２は、第２コネクタ部分６６８上の第４面７２８に対向する反対側の面上に第３面７２６を有する。壁部７２２は、係合位置にある第１コネクタ部分６６６により第２面７１２と第４面７２８との間に抜け落ち不能に設けられ、このスナップ嵌合接続が維持される。
【０２１５】
[0302]  本実施形態において、第１屈曲可能部分７２０は、一体成型ヒンジ７３２を介して第１コネクタ部分６６６の他の部分７３０に接合される。第２コネクタ部分６６８は、本実施形態ではヒンジ７３２から離間して第１屈曲可能部分７２０上に設けられ、係合位置にある第１コネクタ部分６６６に対して係合可能で図７４に示す矢印７３６の方向に圧入可能なアクチュエータ７３４を有することにより、第１屈曲部分７２０を図７４及び図７５に点線で示すその組み付け位置へと移動し、面７１２が開口７１６を通過することにより、第１コネクタ部分６６６が第２コネクタ部分６６８から離間できるようにする。
【０２１６】
[0303]  図示の実施形態において、第２コネクタ部分６６８は、第１屈曲可能部分７２０と同一構成であり、対応の保持位置と組み付け位置との間で移動する際に第１屈曲可能部分７２０が縁部７１８と協働するのと同様に、縁部７１８と協働する第２屈曲可能部分７２０’を有する。搭載を行う者が、２本の指でアクチュエータ７３４及び７３４’を互いに向かって把持し、つかむことができるようにアクチュエータ７３４’を設けることにより、屈曲可能部分７２０及び７２０’をともにそれらの保持位置から組み付け位置へと変化させるようにする。
【０２１７】
[0304]  図７６に示すとおり、縁部７１８は、開口７１６の周囲を完全に囲んで延びる。開口７１６及び第２コネクタ部分６６８は、縁部７１８とこれを通る第２コネクタ部分上の周面７３８とが、第１コネクタ部分６６６が完全離間位置と係合位置との間で変化する際、第２コネクタ部分６６８が開口７１８内に向けられるのに合わせて、第２コネクタ部分６６８を開口７１６と整合的に配列すべく協働するよう構成されることが好ましい。合致する非曲線形状によりこの目標を達成する。
【０２１８】
[0305]  また本配置は、コネクタ部分６６６及び６６８が本体部６５６の長さに沿って何らの実際的距離も移動しないように、コネクタ部分６６６及び６６８をともに１つのユニットとして固定する。図７６に示すとおり、周面７３８の一部７４０は、縁部７１８の一部７４２にもたれかかることにより、第１コネクタ部分６６６が本体部６５６の第１端部６５８から離間することを許容し得る、矢印７４３の方向におけるコネクタ部分６６６の長さ方向の動きを防ぐようにする。
【０２１９】
[0306]  第３コネクタ部分６７２及び第４コネクタ部分６７４は、第２コネクタ６７０を構成するが、各々、第１コネクタ部分６６６及び第２コネクタ部分６６８と構造的に同一又は同様であってもよく、第１コネクタ部分６６６及び第２コネクタ部分６６８が本体部６５６の第１端部６５８で互いに相互作用するのと同様に、本体部６５６の第２端部６６０で互いに相互作用する。従って、第１コネクタ部分６６６及び第３コネクタ部分６７２は、第２コネクタ部分６７２及び第４コネクタ部分６７４により、それらの各本体部端部６５８及び６６０に対して確実に抜け落ち不能に保持されることにより、コネクタ部分６６６及び６７２が本体部端部６５８及び６６０から各々うっかり離間してしまうことを避ける。
【０２２０】
[0307]  第２コネクタ部分６６８は、コネクタ６２６（図５６参照）と同様に反射体タブ６２８及び６３０と協働するよう反対側に開口したスロット７４４及び７４６を有する。すなわち、タブ６２８及び６３０は、スロット７４４及び７４６を通って摺動でき、第２コネクタ部分６６８及び支持部／反射体６７６が、これらの部分が互いに完全に離間した状態で開始して圧接され得るように形成される。本体部６５６の長さ方向の簡易な摺動により、スロット７４４及び７４６に部分的に保持されるタブ６２８及び６３０を完全に取り付けるであろう。勿論、その他の潜在的に永続的な接続も想定される。
【０２２１】
[0308]  上述の配置によると、第１コネクタ部分６６６及び第２コネクタ部分６６８は、第１コネクタ部分６６６の完全離間位置から係合位置への簡易な動きにより、機械的にスナップ接続が可能である。コネクタ要素６９２、６９４、及び６９６も、第１コネクタ部分６６６が完全離間位置から係合位置に移動する事象として、コネクタ要素６９４及び６９６がコネクタ要素６９２と電気的に接続されるよう圧入されるように構成される。
【０２２２】
[0309]  第３コネクタ部分６７２は、本体部６５６の第２端部６６０に設けられる第２端部キャップアセンブリ７４８の一部である。第２端部キャップアセンブリ７４８は、第１カップ状要素６８４が本体部６５６の第１端部６５８を受容するのと略同様に第２本体部端部６６０を受容するレセプタクル７５２を規定する第２カップ状要素７５０を有する。反対側に開口したカップ状要素６８４及び７５０は、各レセプタクル６８６及び７５２に収容された本体部端部６５８及び６６０に対して抜け落ち不能に係合する。レセプタクル６８６及び７５２は、本体部端部６５８及び６６０がレセプタクル６８６及び７５２内で固定保持されるのに十分な距離を貫通するよう、十分に深い。
【０２２３】
[0310]  本実施形態において、第２端部キャップアセンブリ７４８は、上述の基板６８８及び６９０に対応する少なくとも１つ、この場合では２つのコネクタ基板６８８’及び６９０’を備える。
【０２２４】
[0311]  照明源６６２及びコネクタ基板６８８’及び６９０’は、本体部６５６の第２端部６６０と第２端部キャップアセンブリ７４８が本体部６５６の長さに略平行な方向において互いに向かって接続関係となるまで移動する事象として、電気的に接続される。
【０２２５】
[0312]  上述の光拡散器カバー３２８は、照明源６６２からの光を屈折、拡散、及び／又は集光するために任意で使用される。
【０２２６】
[0313]  上述のように構築することにより、第１コネクタ部分６６６及び第２コネクタ部分６６８は、照明源６６２と電源６８０との間を電気的に接続する導電性コネクタ要素６９２、６９４、及び６９６とは独立して、構造的にともに保持されることにより、本体部６５６をその動作可能状態に維持する。これにより、ライティングアセンブリ６５４上の電気接続に影響する導電性要素へ応力を避け、また本体部６５６を動作可能状態で固定的且つ維持可能に搭載することを許容する。この能力は、本体部がＬＥＤ照明源を備えた通常８フィート程度に長く構築される際、特に顕著である。これらの本体部は、匹敵する蛍光電球に比べて著しく重く構築されることもある。
【０２２７】
[0314]  上述のように構築することにより、第１コネクタ部分６６６及び第２コネクタ部分６６８と第３コネクタ部分６７２及び第４コネクタ部分６７４は、互いに対して簡易に配列されてスナップ接続されるものとすることができ、これにより、コネクタ部分を互いに向かって、また互いと反対方向に相対移動する事象として、ともに保持することができる。補助的留め具（図示せず）を使用して、これらの接続をさらに固定することもできるが、補助的留め具を必要としないことが理想的である。
【０２２８】
[0315]  上述のように構築することにより、簡易な圧入ステップで第１コネクタ部分６６６及び第３コネクタ部分６７２を本体部端部６５８及び６６０に各々事前組み付けできるようにする。そして結果として得られたユニットＵ（図６７）は、第１コネクタ部分６６６及び第３コネクタ部分６７２を第２コネクタ部分６６８及び第４コネクタ部分６７４と配列するよう固定でき、直ちにユニットの移行により、第１コネクタ部分６６６及び第２コネクタ部分６６８と第３コネクタ部分６７２及び第４コネクタ部分６７４とをスナップ接続する。コネクタ部分６６６及び６６８と６７２及び６７４のスナップ接続は、これらに関連の導電性コネクタ要素間の電気的接続にも効果を及ぼす。
【０２２９】
[0316]  基板６８８、６８８’、６９０、及び６９０’を使用し、端部キャップアセンブリ６７８及び７４８を圧接することにより、集約的労働であり、実施が困難で、動作の失敗に繋がることの多い、特定の、好適な形態ではすべてのワイヤ接続動作を潜在的に回避する。すなわち、一例としての本体部端部６５８に見て取れるように、エミッタ基板２９３の電気的接続は、半田付けされるか、又はその端部で接続されなければならないワイヤを使用せず、コネクタ要素６９２まで端子３０２及び３２４とコネクタ基板６８８との間で協働することによって有効となり得る。
【０２３０】
[0317]  さらに本体部端部６５８及び６６０は、本体部６５６をその動作可能状態から離間させるリスクのほとんどない各レセプタクル６８６及び７５２内に十分に突出することができる。
【０２３１】
[0318]  第２コネクタ部分６６８及び第４コネクタ部分６７４は、図５６及び図５７において６１０及び６１２として示すとおり、従来の蛍光バイピン電球コネクタの代替となり得る。従来のコネクタ６１０及び６１２は容易に取り外され、潜在的に、支持部６１４に何らの変更を加えなくても、又は何らの著しい変更を加えなくても、コネクタ部分６６８及び６７４と交換される。従って、ＬＥＤベースの技術の組み込みが促進される。
【０２３２】
[0319]  コネクタ部分６６８及び６７４が一旦定位置に配置されると、最初の組み付けであるかコネクタ６１０及び６１２との交換であるかを問わず、本体部６５６及び事前接合コネクタ部分６６６及び６７２は、協働して図６７のユニットＵを規定するものであるが、圧入動作によって容易に組み付けることができる。コネクタ部分６６６、６６８、６７２、及び６７４の相互作用部分はロバストであり、精密な予備配列や従来のバイピン構造の後続の動きを要することなく、接続関係に導かれる。本体部６５６及び／又はコネクタ部分６６６及び６７２の一方が修理又は交換を必要とする場合、コネクタ部分６６６は、アクチュエータ７３４及び７３４’をともにねじることによって解放することができ、直ちにコネクタ部分６６６を本体部６５６の一端のコネクタ部分６６８から引き出すことができる。コネクタ部分６７２及び６７４は、本体部６５６の他端と同様に解放され、ユニットＵを分離することができる。一旦このようになると、ユニットＵは、同様にユニット（図示せず）と全体を交換することができる。或いは、コネクタ部分６６６及び６７２の一方又は双方を本体部６５６の長さ方向に引っ張ることによって分離させ、ユニットの要素６５６、６６６、及び６７２のいずれかの交換又は修理を行うためのアクセスを可能にする。好適な実施形態において半田付け又はその他のワイヤ接続をなくすことにより、このような目的のためのユニットの解体及び再組み付けを迅速及び簡易にする。従って、ユニットＵの支持部６１４への組み付け及びユニットＵの支持部６１４からの分離は、効率的に実施可能である。本体部６５６は、組み付けプロセスにより、従来のバイピン接続では条件を確実に決定することができなかったが、部品が完全に係合されたことを聴覚的及び／又は触覚的に示すようにして、部品とともに強固に搭載されることが好ましい。
【０２３３】
[0320]  上述の設計は、本体部６５６の長さを横断する方向から見て略デルタ形状すなわち三角形状の断面を有する本体部６５６で説明を行ったが、端部キャップレセプタクルを周辺の本体部形状を補間するように一致させることにより、いずれの本体部形状にも適合可能である。例えば、上述の実施形態は、異なる面数を有する異なる断面形状を有する（例えば、図５に示す４面発光体及び図６に示す５面発光体を参照のこと）。図６２〜図７７で説明した接続構造は、以上の各実施形態に適合可能であり、対応本体の異なる断面形状に合わせて変更することにより、他の形状にも適合可能となる。
【０２３４】
[0321]  さらに接続構造は、通常、従来の蛍光電球及び多くのＬＥＤ管状電球の従来の球状／円筒形発光体形状において使用されるコネクタ部分に合わせて適合させることができる。図７９及び図８０に示すとおり、コネクタ部分６６６に対応するコネクタ部分６６６”は、円筒形発光体本体部６５６”の外面７６２に対して形状及び直径の上で補間する円筒面７６０に包囲されるレセプタクル６８６に対応するレセプタクル６８６”を備えるものとすることができる。本体部６５６”は、その長さに対して平行に移転され、本体部端部６５９”をレセプタクル６８６”に収容し、追ってコネクタ部分６６８を通じて電源６８０に電気的に接続されてもよい端部コネクタ基板６８８”を通じた電気的接続を設立する。端部コネクタ基板６８８”は、端部コネクタ基板６８８と略同一であってもよく、レセプタクル６８６”にぴったり収まるよう形状のみが異なる。コネクタ部分６６６”及び本体部６５６”には封印及び／又は定着構造が設けられ、組み付けを行う者がこれらの部品を適正角度で配列して接続できるようにしてもよい。
【０２３５】
[0322]  図８１に一般的に示されるとおり、第１コネクタ部分６６６及び第３コネクタ部分６７２は、代わりに、６５６’’’で特定される一般的発光体等の本体部を備えた従来の蛍光型発光体、ＬＥＤを利用した発光体、又はその他の設計の端部で従来のバイピン配置７６４と協働するよう構成することもできる。バイピン７６４は、コネクタ基板６８８に対応するが、好ましくは圧入ステップでバイピン７６４に電気的に接続するよう変更されたコネクタ基板６８８’’’と協働する。コネクタ基板６８８’’’及び第１コネクタ部分６６６は、ａ）各々、第１コネクタ部分６６６及び第２コネクタ部分６６８上のコネクタ要素６９２、６９４、及び６９６を介して電源６８０に電気的に接続し、ｂ）これら同一のコネクタ部分６６６及び６６８について上述したとおり、機械的に接続をするよう、第２コネクタ部分６６８と協働する端部キャップアセンブリ６７８’’’を備える。反対側の本体部端部に設けられたコネクタ基板６８８”は、同様にバイピン７６４に接続し、第３コネクタ部分６７２及び第４コネクタ部分６７４は、これらのコネクタ部分６７２及び６７４について上述したとおり、機械的に接続される。バイピン設計を収容するコネクタ基板６８８’’’上に設けられた回路の詳細は、当業者により、本明細書の開示から容易に考えられるであろう。
【０２３６】
[0323]  このように、上述の従来のバイピン電球及びコネクタとの関連した不都合は、本発明に開示の種の端部コネクタを備えたこのような電球を組み込み、このような電球を、本明細書において第２コネクタ部分及び第４コネクタ部分として記載の種のコネクタに搭載し、機械的及び電気的に接続することにより克服されてもよい。
【０２３７】
[0324]  以上に説明したとおり、ドライバ基板３８０を備えたドライバ３００をなくしてもよい。本発明のこの形態を示すため、図７０において、ドライバ３００は点線で示されている。ドライバ３００がなくなれば、コネクタ基板６８８’上の本体部６５６の反対側端部における対応ドライバコネクタ（図７０には図示せず）に対応して、図７０に示すコネクタ基板６８８上の端子／面実装型ドライバコネクタ３７５の必要性がなくなる。図７０には本体部６５６の第２端部６６０の付近に説明の目的で図示してあるが、ドライバ３００は、ヒートシンク２９７の長さに沿ったいずれの箇所に搭載されてもよい。単一のドライバが利用される時、端部キャップＰＣＢコネクタ６８８の面実装型コネクタ３７５に接続するため、第１端部６５８の付近に搭載されることが好ましい。
【０２３８】
[0325]  上述の実施形態の他の変形例は、ＬＥＤパネル／エミッタ基板２９３が電源６８０に電気的に接続されるよういかに設計されるかに関連する。図７０を再び参照すると、これは本明細書中に前述した実施形態を表すものであるが、各エミッタパネル２９３の回路は、コネクタ基板６８８’を介して規定されることにより、関連基板６８８’を備えた第３コネクタ６７２が本体部６５６の第２端部６６０に圧入される際に実施される各エミッタパネル２９３の電気的接続を必要とする。
【０２３９】
[0326]  代わりの設計において、上述の部品に対応する変形部品が同一の数字と「４’」の指定とで特定される図８２に模式的に示されるとおり、エミッタパネル２９３４’は、供給源６８０からエミッタパネル２９３４’に電力供給をするよう第３コネクタ部分６７２４’の内部又は上に電気要素を必要とせずに構成される。代わりに、電源６８０に接続する第２コネクタ部分６６８上のコネクタ要素６９４及び６９６の間の電気経路は、各本体部６５６４’とエミッタパネル２９３４’の長さ方向の広がり内で第２本体部端部６６０４’に隣接して仕上げられる。これにより、第２本体部端部６６０４’におけるエミッタパネル２９３４’上の端子３０２の必要性と、第３コネクタ部分６７２４’が第２本体部端部６６０４’及び第４コネクタ部分６７４に圧入される際、第３コネクタ部分６７２４’及び第４コネクタ部分６７４のいずれかにおける電気接続要素が電気的に接合される必要性がなくなる。この変形により、個々の部品設計を潜在的に簡易化し、関連コストを下げ、製造又は組み付け中に生じ、使用中に発生するかもしれない電気的故障の可能性を低減する。
【０２４０】
[0327]  さもなければ本体部６５６４’は、先に述べた実施形態と同様に、第１コネクタ部分６６６４’に機械的に接続され、第１コネクタ部分６６６４’を介して第２コネクタ部分６６８に電気的に接続される。例えば、エミッタパネル２９３４’の電気接続が関連のコネクタ要素６９２４’を有するコネクタ基板６８８４’を通じて有効となってもよい。エミッタパネル２９３４’上の端子３０２４’は、この接続を有効にするために使用される。
【０２４１】
[0328]  図７０に示す実施形態に対応するものの、第２本体部端部６６０におけるエミッタパネル端子及び電気要素が設けられない、このような一例としての実施形態を図８２ａに示す。このような実施形態において、任意の内部ドライバが設けられる場合、通常、端部キャップＰＣＢコネクタ６８８の面実装型コネクタ３７５への接続のため、第一端部６５８の付近に搭載されるであろう。
【０２４２】
[0329]  追加の潜在的変形例を図８３に示しており、上述の部品に対応する変形部品を同一の数字に「５」の指定を添えて特定している。
【０２４３】
[0330]  図８３において、発光体本体部６５６５’は、デルタ形状すなわち三角形状の断面を備えたヒートシンク２９７５’を有するものとして示されている。ヒートシンク２９７５’は、エミッタパネル２９３５’（１つを図示）が配置される２つの面２９４５’及び２９５５’を有し、各々がヒートシンク２９７５’の長さに沿って間隔を開けてＬＥＤエミッタ２９８５’を備えている。
【０２４４】
[0331]  ヒートシンク２９７５’は、同様に構築された長尺レセプタクル７６６及び７６８を規定するよう押し出し形成されてもよい。一例としてのレセプタクル７６８は、互いに向かって解放したスロット７７２及び７７４を規定するスペースを開けた「Ｕ字」型に溶け込む幅方向端部を備えた平坦面７７０によって規定される。エミッタパネル２９３５’は、１つずつレセプタクル７６６及び７６８内に長手方向に摺動する。エミッタパネル２９３５’（レセプタクル７６６内に１つを示す）は、互いに幅方向に離間した反対側のエミッタパネル縁部７７６及び７７８が同時にスロット７７２及び７７４内に収容されるような寸法を有する。エミッタパネル２９３５’とレセプタクル７６６及び７６８との相対的寸法は、潜在的に損傷を与える力を加えることを必要とすることなく、エミッタパネル２９３５’をヒートシンクに組み付けできるように選択される。同時に、輸送中又は組み付け中のいずれかを問わず、本体部６５６５’が正常に取り扱われている時、エミッタパネル２９３５’が容易に移転してヒートシンク２９７５’の長さ方向に誤配列されやすくならないように、この嵌合を十分にぴったりと行われることが好ましい。
【０２４５】
[0332]  この設計により、エミッタパネルをヒートシンクから離間させないため、別個の留め具や拡散器カバーの内面から延びるリブ、タブ、又はその他の構造の接着又は使用を必要とすることなく、ヒートシンク２９７５’とエミッタパネル２９３５’との統合を可能にすることにより、本体部６５６５’上の要素の組み付けを簡易化してもよい。
【０２４６】
[0333]  図８３に示すとおり、ヒートシンク２９７５’及び拡散器カバー３２８５’に対する組み付けエミッタパネル２９３５’の関係により、前述の実施形態と比べて光量及び分布も改善してよい。図１７に示す実施形態の拡散器カバー３５４は、断面で示されるとおり、「Ｕ字」型の基部がヒートシンク３３４の角度面上のエミッタパネル３３６、３３７、及び３３８が出会うところ、又はそこに隣接して設けられる。一方、図８３に示すとおり、７８０におけるヒートシンク２９７５’の基部領域は、拡散器カバー３２８５’の７８２における対応基部領域から実質的な距離Ｄだけ離間している。
【０２４７】
[0334]  拡散器カバー３２８５’を規定する材料の透光性に関わらず、ＬＥＤエミッタ２９８５’からの特定量の光は、エミッタパネルに向かって反射して戻され、エミッタパネルと、ヒートシンク２９７５’の底面７８４とに影響を及ぼすことで、スペース７８６内で拡散器カバー３２８５’に向かって外側に再度方向付けられる。反射した光は、矢印Ａで示される一例としての進路を辿る。ヒートシンク２９７５’と拡散器カバー３２８５’の下方領域間のスペースを追加し、図示のとおり、本来三角形であったヒートシンク断面の頂点を取り除くことにより、拡散器カバー３２８５’に反射される光をより均一な分布にし、全体的な光のパターンを増強し、光分布パターンの均等性も向上してよい。また上述のレセプタクル７６８及び７６６は、図１７の拡散器カバー３５４の基部領域に示す長尺リブ等の追加構造を必要とすることなく、エミッタパネル２９３５’を固定する。このようなリブは、拡散器カバーを介して光透過に干渉することがあるため、拡散器カバーからリブをなくすことにより、ライティングアセンブリから放出される光分布パターンをさらに均一にするのに役立たせてもよい。
【０２４８】
[0335]  図８４及び図８５において、図８３のヒートシンク２９７５’と同様のヒートシンク２９７６’のさらに他の変形形態を示しているが、主な違いは、基部領域７８０６’がその底部の面７８４６’のように略平坦となっていることである。この設計は、拡散器カバー３２８６’から反射される光を再度方向付けるため、光量と均等性も効果的に向上してよい。
【０２４９】
[0336]  図８３〜図８５に示す双方の実施形態において、拡散器カバー３２８５’及び３２８６’とヒートシンク２９７５’及び２９７６’は、同様に接続される。一例としての拡散器カバー３２８６’について示されるとおり、拡散器カバー３２８６’の断面「Ｕ字」形状の一部を形成する離間脚部７８８及び７９０の上方領域は、矢印７９２で示すとおり、互いから離間して曲げられるものとすることができ、これにより、レール７９４及び７９６を、各々、補間ヒートシンクスロット７９８及び８００とともに垂直方向に配列させる。その後、脚部７８８及び７９０を解放することにより、最初の変形で生成された残りの力が脚部７８８及び７９０をそれらの初期段階の形状にし、直ちにレール７９４及び７９６が各スロット７９８及び８００内に促され、拡散器カバー３２８６’を固定する。
【０２５０】
[0337]  或いは、未変形の拡散器カバー３２８６’をヒートシンク２９７６’の下方に配列し、上方に押すことができる。このようにすると、脚部７８８及び７９０は、レール７９４及び７９６とヒートシンク２９７６’との間のカム動作相互作用により、互いから離間するように促される。一旦レール７９４及び７９６がスロット７９８及び８００とともに垂直に配列すると、脚部７８８及び７９０は、その未変形状態に跳ね返り、レール７９４及び７９６をスロット７９８及び８００内に収容する。
【０２５１】
[0338]  一旦拡散器カバー３２８６’が組み付けられると、拡散器カバー３２８６’がヒートシンク２９７６’を包囲することにより、その組み付け位置に維持するように、脚部７８８及び７９０に特定レベルの復元力を維持することが望ましいこともある。
【０２５２】
[0339]  或いは、各拡散器カバー３２８５’及び３２８６’は、図８４及び図８５の実施形態に示すとおり、レール７８８及び７９０の端部とスロット７９８及び８００を配列した後、適正に配列がなされるまで、拡散器カバー３２８６’の長さ方向の相対移行を生じさせることにより、その組み付け状態に摺動させられてもよい。
【０２５３】
[0340]  図８６には、他の変形形態のヒートシンクを２９７７’として示している。ヒートシンク２９７７’は、拡散器カバー３２８６’と同一であってもよい図示された拡散器カバー３２８７’の垂直方向の広がりとの関係で、垂直方向の外形がより短い。この設計は、単一のエミッタパネル２９３７’（又は、端部同士を合わせた一連のエミッタパネル）を使用する適用例に適合される。ＬＥＤの拡散器カバーに対する距離が増加し、中央配置させられることにより、エミッタ基板から拡散器カバーまで伝わり、拡散器カバーによって分散させられた光の領域を効果的に増やす。このことは、ライティングアセンブリから放出された光をより均一な形態にし、グロー効果を可能にしやすくする。このような設計は、コーブ型ライティングが必要な領域や、ＬＥＤエミッタを見えないように隠す必要のあるその他の適用例においても理想的である。
【０２５４】
[0341]  もたれかかったヒートシンクの面２９４７’及び２９５７’は、ＬＥＤエミッタ２９８７’を備えたエミッタパネル２９３７’を協働して支持するレッジ部８１２及び８１４を規定するよう互いに向かって突出したオフセット端部８０８及び８１０で終了する。水平壁部８１６は、面２９４７’及び２９５７’の間に広がり、オフセット端部８０８及び８１０と、エミッタパネル２９３７’を内部に方向付けることのできるレセプタクル８１８と連携して境界をなす。エミッタパネル２９３７’は、レセプタクル８１８の一端で配列され、ヒートシンク２９７７’と同延の長さ方向の関係に移行することができる。
【０２５５】
[0342]  この設計では、動作特性又は性能を変えることなく、図８３〜図８５に示した実施形態の同一の周辺形状内で許容されるよりも大きな幅Ｗを備えたエミッタパネル２９３７’を収容してもよい。この種の実施形態は、ＡＣ  ＬＥＤとの関連で、整流器及びフィルタ等の追加の電子部品の搭載により広い幅を利用することができるため、ＡＣ電源方式ＬＥＤのエミッタパネルに特によく適合する。使用されるエミッタパネルの種別に関わらず、図８６に示すエミッタパネル２９３７’の配置により、拡散器カバー３２８７’の底部上方より実質的に距離のある箇所から放出される分散パターンを幅広くすることができる。或いは、拡散器カバー３２８７’の垂直方向形状は、図８６に示すものより短くすることができる。勿論、本実施形態は、本明細書に記載のすべての実施形態と同様、ＡＣ電源方式エミッタパネル又はＤＣ電源方式エミッタパネルのいずれかの使用に限定されるものでない。
【０２５６】
[0343]  上述のとおり、近年の建築コード及び法令によると、各公共施設がスタンドアロン型の緊急バッテリバックアップライティングシステムを有していることを求められる。これは、破滅的な停電による影響を受けることもある、このようなスペースにいる人たちの安全を確保するためである。ほとんどの建物は、指定のＥＭライティング及び／又は電源パネルから緊急ライティング（ＥＭ）回路が延びている。このパネルから利用される回路は、共通回路に割り込まれたり、共有されたりすることはできず、専用の導管システムで延びていなければならず、サポートするスペースのＥＭライトのみを目的としてルート化されていなければならない。これには、専用のバッテリバックアップライトを搭載するのに、特に既存の建物においては相当なコストがかかる可能性がある。ＥＭ回路は、ＥＭ光がすべての出口と、外部周辺光の手段のない室内とに確実に配置されるよう、各スペースに合わせてカスタマイズされなければならない。
【０２５７】
[0344]  従来のＥＭライティングシステムに関連のこのような問題とその他の問題を克服する手段として、本発明の多面ＬＥＤライトバーを、独自の内部スタンドアロン型ＵＰＳバッテリバックアップシステムを備えた自立型ＬＥＤ発光体の形態で提供してもよい。図８７は、このような実施形態の一例を示している。本体部６５６は、図８２ａに示して上述した照明アセンブリ／発光体の基本要素を有する。通常、この構築は、ヒートシンク２９７上に略「Ｖ字」型に配置された２つのＬＥＤエミッタパネル２９３を備えるデルタすなわち三角形状の３面金属ヒートシンク２９７を備える。各ＬＥＤエミッタ基板／パネル２９３は、本体部６５６の端部６５８及び６６０の間でその長さに沿って略均等な間隔で離間した複数のＬＥＤエミッタ２９８を有する。各ＬＥＤエミッタパネル２９３は、エミッタパネル２９３の端部から長さ方向に突出した導電性要素６８２の形態で端子３０２を有する。
【０２５８】
[0345]  上述のとおり、第１コネクタ６６４は、本体部６５６の第１端部６５８に設けられ、第２コネクタ６７０は、本体部６５６の第２端部６６０に設けられる。第１コネクタ６６４は、第１端部キャップアセンブリ６７８の一部である第１コネクタ部分６６６と、第２コネクタ部分６６８とを備える。第１端部キャップアセンブリ６７８は、本体部６５６に向かって開口し、本体部の第１端部６５８が内部に向かって延びる第１レセプタクル６８６を規定する第１カップ状要素６８４を備える。レセプタクル６８６は、基板６８８及び６９０と電源６８０との間に電気的接続を成立させるため、第２コネクタ部分６６８の内部に向かって延びたワイヤの内部で、コネクタ要素６９４及び６９６と協働する、Ｌ字型電気コネクタ要素６９２を搭載した別の基板６９０を覆う端部コネクタ基板６８８を受容する。電源６８０は、正常動作中、ライティングアセンブリに電力供給を行う。
【０２５９】
[0346]  この形態において、本発明のライティングアセンブリはさらに、多面ヒートシンク２９７によって規定される中空領域内に示されるとおり、内部ＰＣＰ９０１に搭載されたＵＰＳバッテリ回路９００を備える。他の実施形態との関連で述べたとおり、内部ドライバ（図示せず）は、ＡＣ電力をＤＣに変換し、それをエミッタ基板２９３のＬＥＤエミッタ２９８に向かわせるため、ヒートシンク２９７の内部に搭載されてもよい。ＵＰＳバッテリバックアップ回路は、動作可能に位置決められてドライバに接続され、電源６８０が正常動作を行っている時、その１つ以上のバッテリに充電電流を提供する充電回路を備え、電源６８０からの電力が中断されると、ＵＰＳバッテリバックアップ回路の制御サブ回路は、緊急ライティングとして、ライティングアセンブリのＬＥＤ２９８に電力供給を行うため、バッテリへの負荷を戻すよう切り替える。他の実施形態では、回路は、ライティングアセンブリが正常電源期間中は暗いまま充電電流を受容し、正常電源が失われた時にＵＰＳバッテリバックアップ回路９００の電力で照明する専用緊急ライトとなるように設計されてもよい。
【０２６０】
[0347]  ヒートシンク２９７内で利用可能なスペースにより、ＬＥＤに電力供給を行うのに十分な数のバックアップバッテリを搭載することができるようになり、適用可能な緊急ライティングコードを満たすのに必要な期間、必要とされる照明を提供する。現在利用可能なＵＰＳバッテリソースは、ヒートシンク２９７の中空空間内に搭載されるバッテリの数及び種別により、１５分間、少なくとも２時間まで、また潜在的により長い時間、電力を提供しなければならない。本アプローチは、例えば、４面及び５面のヒートシンクを含む本発明の多面ヒートシンクの多数の他の形態、及びその他の特定の形態において実装されてもよいことが理解されるであろう。
【０２６１】
[0348]  停電の際に自らの電源を維持可能な隠しＵＰＳを備えた管状ライティングアセンブリを提供することにより、本発明のこの側面は、さらに多数の利益をもたらす。例えば、戦略的に選択した箇所の従来のバラストにＵＢＳ緊急ライトを搭載するだけで、停電した建物から出る最も直接的な経路を保証するよう、ライティングの全体経路を生成することができる。ＵＰＳバックアップ回路はライティングアセンブリの内部に実装されるため、既存の搭載装備は、装備への搭載に何らの追加配線も外部要素も必要としない。従って本発明のこの側面により、建物は、建物全体に亘って、専用ブレーカ、回路、緊急ライト、特別なバラスト、外部バッテリ源、発電機、及びその他の装備のコストを増やすことなく、緊急安全ライティングを装備することができるようになり、建物のオーナー及び財産管理者が停電の際に十分なライティングを要求するコードを遵守し易くなり、その可能性をより高める。ＵＰＳは、ヒートシンクの内部に隠されるため、審美的にも悪い影響はない。
【０２６２】
[0349]  本発明の実施形態を図示及び説明したが、当業者により、本発明の新規の精神及び範囲を逸脱することなく、非曲線ＬＥＤ発光体、その他本明細書に開示のヒートシンクの設計、ＡＣ駆動ＬＥＤを利用した発光体、ＵＰＳバックアップ、及び／又は新規の端部キャップコネクタアセンブリを備えた多面ＬＥＤライトバーを設けた発光ダイオード（ＬＥＤ）照明アセンブリの部品、要素、及び／又はプロセス（方法）ステップと、その他の使用、形状、特徴、及び配置について、種々の変更、代替、及び再配置が可能であることを理解しなければならない。さらに、開示の実施形態のいずれかに開示の特徴の１つ以上は、他の開示の実施形態のいずれかの１つ以上の特徴と組み合わせ、追加し、又は代替させることができる。
【０２６３】
[0350]  特定の実施形態で先に述べた開示は、本発明に含まれる広い概念を例示する目的で述べられたものである。
【図１】
0006543696.tif 000002
【図２】
0006543696.tif 000003
【図３】
0006543696.tif 000004
【図４】
0006543696.tif 000005
【図５】
0006543696.tif 000006
【図６】
0006543696.tif 000007
【図７】
0006543696.tif 000008
【図８】
0006543696.tif 000009
【図９】
0006543696.tif 000010
【図１０】
0006543696.tif 000011
【図１１】
0006543696.tif 000012
【図１２】
0006543696.tif 000013
【図１３】
0006543696.tif 000014
【図１４】
0006543696.tif 000015
【図１５】
0006543696.tif 000016
【図１６】
0006543696.tif 000017
【図１７】
0006543696.tif 000018
【図１８】
0006543696.tif 000019
【図１９】
0006543696.tif 000020
【図２０】
0006543696.tif 000021
【図２１】
0006543696.tif 000022
【図２２】
0006543696.tif 000023
【図２３】
0006543696.tif 000024
【図２４】
0006543696.tif 000025
【図２５】
0006543696.tif 000026
【図２６】
0006543696.tif 000027
【図２７】
0006543696.tif 000028
【図２８】
0006543696.tif 000029
【図２９】
0006543696.tif 000030
【図３０】
0006543696.tif 000031
【図３１】
0006543696.tif 000032
【図３２】
0006543696.tif 000033
【図３３】
0006543696.tif 000034
【図３４】
0006543696.tif 000035
【図３５】
0006543696.tif 000036
【図３６】
0006543696.tif 000037
【図３７】
0006543696.tif 000038
【図３８】
0006543696.tif 000039
【図３９】
0006543696.tif 000040
【図４０】
0006543696.tif 000041
【図４１】
0006543696.tif 000042
【図４２】
0006543696.tif 000043
【図４３】
0006543696.tif 000044
【図４４】
0006543696.tif 000045
【図４５】
0006543696.tif 000046
【図４６】
0006543696.tif 000047
【図４７】
0006543696.tif 000048
【図４８】
0006543696.tif 000049
【図４９】
0006543696.tif 000050
【図５０】
0006543696.tif 000051
【図５１】
0006543696.tif 000052
【図５２】
0006543696.tif 000053
【図５３】
0006543696.tif 000054
【図５４】
0006543696.tif 000055
【図５５】
0006543696.tif 000056
【図５６】
0006543696.tif 000057
【図５７】
0006543696.tif 000058
【図５８】
0006543696.tif 000059
【図５９】
0006543696.tif 000060
【図６０】
0006543696.tif 000061
【図６１】
0006543696.tif 000062
【図６２】
0006543696.tif 000063
【図６３】
0006543696.tif 000064
【図６４】
0006543696.tif 000065
【図６５】
0006543696.tif 000066
【図６６】
0006543696.tif 000067
【図６７】
0006543696.tif 000068
【図６８】
0006543696.tif 000069
【図６９】
0006543696.tif 000070
【図７０】
0006543696.tif 000071
【図７０Ａ】
0006543696.tif 000072
【図７１】
0006543696.tif 000073
【図７２】
0006543696.tif 000074
【図７２ａ】
0006543696.tif 000075
【図７２ｂ】
0006543696.tif 000076
【図７３】
0006543696.tif 000077
【図７４】
0006543696.tif 000078
【図７５】
0006543696.tif 000079
【図７６】
0006543696.tif 000080
【図７７】
0006543696.tif 000081
【図７８】
0006543696.tif 000082
【図７９】
0006543696.tif 000083
【図８０】
0006543696.tif 000084
【図８１】
0006543696.tif 000085
【図８２】
0006543696.tif 000086
【図８２Ａ】
0006543696.tif 000087
【図８３】
0006543696.tif 000088
【図８４】
0006543696.tif 000089
【図８５】
0006543696.tif 000090
【図８６】
0006543696.tif 000091
【図８７】
0006543696.tif 000092